(57)【要約】  外壁に耐擦り傷性かつ帯電防止性のコーティングを有する、バイアルやシリンジなどのシクロオレフィンポリマー（ＣＯＰ）容器は、物品の帯電を低減又は防止する。耐擦り傷性及び帯電防止性のコーティングの組み合わせは、容器への電荷を帯びた粒子の引き付けを低減し、耐擦り傷性を付与しつつ粒子による汚染を減少させる。
2018514595.tif 000002
【特許請求の範囲】
【請求項１】
内部空間（１８）を覆う内表面（１６）と、接触表面（２６ａ）と、前記接触表面上の外面の帯電防止性かつ耐擦り傷性のコーティング（２６）と、擦り傷防止剤及び帯電防止剤を含有する任意選択的な無機−有機ハイブリッドポリマーコーティングと、を有する、例えばＣＯＰなどのシクロオレフィンポリマーから作られた壁（５２）を含む容器（１０、１２、１２ａ、１２ｂ、１２ｃ）。
【請求項２】
前記外面コーティング又は帯電防止性かつ耐擦り傷性のコーティングが、任意選択的には空気から水分を吸収した後に、静電荷を実質的に放電するのに十分な導電性である、請求項１に記載の容器。
【請求項３】
帯電させて６０分間保持した後の静電負荷が０．５ｋＶ未満、好ましくは本質的に０ｋＶの静電負荷、最も好ましくは０ｋＶの静電負荷である、請求項１又は２に記載の容器。
【請求項４】
前記シクロオレフィンポリマーがＣＯＰ樹脂から本質的になる、請求項１〜３のいずれか１項に記載の容器。
【請求項５】
前記無機−有機ハイブリッドポリマーが、
（ｉ）金属化合物と式ＲmＳｉＸ4-m（式中、Ｒは架橋可能な有機ラジカルであり、Ｘは加水分解可能かつ縮合可能な基であり、ｍは１、２又は３である）のシランとから合成される加水分解縮合物；及び
（ｉｉ）前記加水分解縮合物の前記シランの前記ラジカルＲと架橋するプレポリマー；
の反応生成物を含む、請求項１〜４のいずれか１項に記載の容器。
【請求項６】
前記無機−有機ハイブリッドポリマーが、１種以上の非架橋性の有機官能基を有するシランを含む、請求項１〜５のいずれか１項に記載の容器。
【請求項７】
前記帯電防止性かつ耐擦り傷性のコーティングが、低揮発性酸化物を更に含む、請求項１〜６のいずれか１項に記載の容器。
【請求項８】
Ｒがアルキル、アルケニル、アルキニル、アリール、アリールアルキル、アルキルアリール、アリールアルケニル、アルケニルアリール、アリールアルキニル、及びアルキニルアリールからなる群から選択される、請求項５〜７のいずれか１項に記載の容器。
【請求項９】
各Ｒが独立に、無置換のラジカルであるか、ハロゲン、無置換アミノ、アミド、アルデヒド、ケト、アルキルカルボニル、カルボキシ、メルカプト、シアノ、イソシアノ、シアナト、イソシアナト、ヒドロキシ、アルコキシ、アルコキシカルボニル、スルホン酸、リン酸、アクリル、アクリルオキシ、メタクリル、メタクリルオキシ、グリシジル、グリシジルオキシ、エポキシ、及びビニル基からなる群から選択される１つ以上の置換基によって置換されているラジカルである、請求項５〜８のいずれか１項に記載の容器。
【請求項１０】
ｍが２又は３であり、各Ｒが独立に、アルコキシ、アリールオキシ、アクリルオキシ、アルキルカルボニル、アルコキシカルボニル、ヒドロキシ、ハロゲン、水素、又は置換若しくは無置換のアミノ基である、請求項５〜９のいずれか１項に記載の容器。
【請求項１１】
前記プレポリマーが反応性基を有し、前記反応性基がアルキル、アルケニル、アルキニル、アリール、アリールアルキル、アルキルアリール、アリールアルケニル、アルケニルアリール、アリールアルキニル、及びアルキニルアリールである、請求項５〜１０のいずれか１項に記載の容器。
【請求項１２】
前記プレポリマーが反応性基を有し、前記反応性基が、無置換のラジカルであるか、ハロゲン、無置換アミノ、アミド、アルデヒド、ケト、アルキルカルボニル、カルボキシ、メルカプト、シアノ、イソシアノ、シアナト、イソシアナト、ヒドロキシ、アルコキシ、アルコキシカルボニル、スルホン酸、リン酸、アクリル、アクリルオキシ、メタクリル、メタクリルオキシ、グリシジル、グリシジルオキシ、エポキシ、若しくはビニル基からなる群から選択される１つ以上の置換基によって置換されているラジカルである、請求項５〜１１のいずれか１項に記載の容器。
【請求項１３】
前記プレポリマーが反応性基を有し、前記反応性基が前記加水分解縮合物の前記シランのＲと同じである、請求項５〜１２のいずれか１項に記載の容器。
【請求項１４】
前記無機−有機ハイブリッド耐擦り傷性ポリマーにおいて：
（ｉ）前記シランがエポキシ基若しくはエポキシ基類を有し、前記プレポリマーがエポキシ樹脂である；又は、
（ｉｉ）前記シランがビニルラジカルを有し、前記プレポリマーが架橋可能な二重結合を有する；又は、
（ｉｉｉ）前記シランが重合可能な二重結合を有し、前記プレポリマーが架橋可能な二重結合を有する；又は、
（ｉｖ）前記シランがメルカプト基を有し、前記プレポリマーが架橋可能な二重結合を有する；又は、
（ｖ）前記シランがイソシアネート基を有し、前記プレポリマーがポリオールである；又は、
（ｖｉ）前記シランがヒドロキシル基を有し、前記プレポリマーがイソシアネートである；又は、
（ｖｉｉ）前記シランがアミノ基を有し、前記プレポリマーがエポキシ樹脂である；請求項１〜１３のいずれか１項に記載の容器。
【請求項１５】
前記加水分解縮合物がアクリル基を有するシランであり、前記プレポリマーがアクリレートである、請求項５〜１４のいずれか１項に記載の容器。
【請求項１６】
前記非架橋性の有機官能基を有するシランが、式Ｒ’mＳｉＸ4-m（式中、Ｒ’は非架橋性の有機ラジカルであり、Ｘは加水分解可能かつ縮合可能な基であり、ｍは１、２又は３である）を有する、請求項６〜１５のいずれか１項に記載の容器。
【請求項１７】
Ｒ’がアルキル、シクロアルキル、アリール、アリールアルキル、及びアルキルアリールからなる群から選択される、請求項１６に記載の容器。
【請求項１８】
各Ｒ’が独立に、無置換のラジカルであるか、ハロゲン原子、無置換アミド、アルデヒド、ケト、アルキルカルボニル、カルボキシ、シアノ、アルコキシ、アルコキシカルボニル基からなる群から選択される１つ以上の置換基によって置換されているラジカルである、請求項１６又は１７に記載の容器。
【請求項１９】
ｍが１又は２であり、各Ｘが独立に、アルコキシ、アリールオキシ、アルキルカルボニル、アルコキシカルボニル、ヒドロキシ、ハロゲン、水素、又は置換若しくは無置換のアミノ基である、請求項１６〜１８のいずれか１項に記載の容器。
【請求項２０】
前記低揮発性酸化物が、
（ｉ）Ｉａ、ＩＩａ、ＩＩＩａ、ＩＶａ、若しくはＶａの主族；又は
（ｉｉ）ＩＩｂ、ＩＩＩｂ、Ｖｂ、ＶＩｂ、ＶＩＩｂ、若しくはＶＩＩＩｂの亜族；
からの元素を含み、前記元素はアルミニウムではない、請求項７〜１９のいずれか１項に記載の容器。
【請求項２１】
前記低揮発性酸化物が、酸化ホウ素（Ｂ2Ｏ3）、五酸化二リン（Ｐ2Ｏ5）、二酸化スズ（ＳｎＯ2）、又はこれらの２つ以上の組み合わせである、請求項２０に記載の容器。
【請求項２２】
前記容器が円筒形状である、請求項１〜２１のいずれか１項に記載の容器。
【請求項２３】
前記容器が射出ブロー成形されたバイアル、シリンジ、血液チューブ、捻じ込み蓋の容器、又はアンプルである、請求項１〜２２のいずれか１項に記載の容器。
【請求項２４】
前記射出ブロー成形されたバイアル、シリンジ、血液チューブ、又は捻じ込み蓋の容器、又はアンプルが、１ｍｌ〜１０００ｍｌの容積を有する、請求項２３に記載の容器。
【請求項２５】
前記射出ブロー成形されたバイアル、シリンジ、血液チューブ、又は捻じ込み蓋の容器、又はアンプルが、２ｍｌ〜１００ｍｌの容積を有する、請求項２４に記載の容器。
【請求項２６】
前記射出ブロー成形されたバイアル、シリンジ、血液チューブ、又は捻じ込み蓋の容器、又はアンプルが、１ｍｌ〜２０ｍｌの容積を有する、請求項２４に記載の容器。
【請求項２７】
前記外面コーティング又は帯電防止性かつ耐擦り傷性のコーティングが１μｍ〜１００μｍの厚さを有する、請求項１〜２６のいずれか１項に記載の容器。
【請求項２８】
前記外面コーティング又は帯電防止性かつ耐擦り傷性のコーティングが２μｍ〜３０μｍの厚さを有する、請求項１〜２７のいずれか１項に記載の容器。
【請求項２９】
前記外面コーティング又は帯電防止性かつ耐擦り傷性のコーティングが８μｍ〜２０μｍの厚さを有する、請求項１〜２８のいずれか１項に記載の容器。
【請求項３０】
前記容器に医薬品が充填されて蓋がされている、請求項１〜２９のいずれか１項に記載の容器。
【請求項３１】
前記Ｒに、Ｏ、Ｓ、Ｎ、又はＮＨ基のうちの１つ以上が１箇所以上挟み込まれており、「挟み込まれる」は、前記ラジカルＲが任意選択的にＲa−Ｙ−Ｒb−（式中、Ｒa−Ｒb−は前記シランの式のＲの前記定義を満たし、Ｙはここでは−Ｏ−、−Ｓ−、−Ｎ＜、及び／又は−ＮＨ−である連結基又は挟み込まれている基である）の構造を有することを意味する、請求項５〜３０のいずれか１項に記載の容器。
【請求項３２】
前記Ｒに、Ｏ、Ｓ、Ｎ、又はＮＨ基が１箇所以上挟み込まれている、請求項３１に記載の容器。
【請求項３３】
前記Ｒが、末端のＯＨ、ＳＨ、又はＮＨ2基を有する、請求項５〜３２のいずれか１項に記載の容器。
【請求項３４】
Ｒが置換されている、請求項５〜３３のいずれか１項に記載の容器。
【請求項３５】
前記反応性基に、Ｏ、Ｓ、Ｎ、又はＮＨ基のうちの１つ以上が１箇所以上挟み込まれている、請求項１１〜３４のいずれか１項に記載の容器。
【請求項３６】
前記反応性基に、Ｏ、Ｓ、Ｎ、及びＮＨ基が１箇所以上挟み込まれている、請求項１１〜３５のいずれか１項に記載の容器。
【請求項３７】
前記反応性基が、末端のＯＨ、ＳＨ、又はＮＨ2基を有する、請求項１１〜３６のいずれか１項に記載の容器。
【請求項３８】
前記Ｒが置換されている、請求項５〜３７のいずれか１項に記載の容器。
【請求項３９】
前記Ｒ’に、Ｏ、Ｓ、Ｎ、又はＮＨ基のうちの１つ以上が１箇所以上挟み込まれている、請求項１６〜３８のいずれか１項に記載の容器。
【請求項４０】
前記Ｒ’が、末端のＯＨ、ＳＨ、又はＮＨ2基を有する、請求項１６〜３９のいずれか１項に記載の容器。
【請求項４１】
前記基が置換されている、請求項１６〜４０のいずれか１項に記載の容器。
【請求項４２】
前記低揮発性酸化物が、
（ｉ）Ｉａ、ＩＩａ、ＩＩＩａ、ＩＶａ、若しくはＶａの主族；又は
（ｉｉ）ＩＩｂ、ＩＩＩｂ、Ｖｂ、ＶＩｂ、ＶＩＩｂ、若しくはＶＩＩＩｂの亜族；
からの元素を含み、前記元素はアルミニウムではない、請求項７〜４１のいずれか１項に記載の容器。
【請求項４３】
Ｂ2Ｏ3、Ｐ2Ｏ5、ＳｎＯ2、又はこれらの２つ以上の組み合わせを含む、請求項７〜４２のいずれか１項に記載の容器。
【請求項４４】
前記帯電防止剤が、エトキシル化アルキルアミン、エトキシル化アルキルアミド、ステアリン酸グリセロール、脂肪酸エステル、ポリオールのエステル若しくはエーテル、アルキル硫酸ナトリウム、カチオン性ポリアクリレート、四級アンモニウム化合物、アルキルリン酸塩、及びこれらの２種以上の組み合わせからなる材料の群から選択される、請求項１〜４３のいずれか１項に記載の容器。
【請求項４５】
前記帯電防止剤が約０．１〜３重量％で無機−有機ハイブリッドポリマーの中にブレンドされる、請求項１〜４４のいずれか１項に記載の容器。
【請求項４６】
真空蒸着、浸漬、ディップコーティング、フラッドコーティング、注型、噴射、噴霧、又は刷毛による塗布によってコーティングされる、請求項１〜４５のいずれか１項に記載の容器。
【請求項４７】
前記外面コーティング又は帯電防止性かつ耐擦り傷性のコーティングが設けられる前に、最初に大気圧のコロナ空気型プラズマでの前処理が行われる、請求項１〜４６のいずれか１項に記載の容器。
【請求項４８】
前記外面コーティング又は帯電防止性かつ耐擦り傷性のコーティングが、ＵＶ若しくはＩＲの照射又は６０〜１５０℃での加熱処理によって硬化する、請求項１〜４７のいずれか１項に記載の容器。
【請求項４９】
前記内表面が、ＰＥＣＶＤタイコーティング若しくは層、バリアコーティング若しくは層、及びｐＨ保護コーティング若しくは層、又は前記個々のコーティング若しくは層のうちの１つを含む、請求項１〜４８のいずれか１項に記載の容器。
【請求項５０】
前記タイコーティング若しくは層がＳｉＯxＣyＨz又はＳｉＮxＣyＨzであり、ここで、Ｘ線光電子分光（ＸＰＳ）によって測定されるｘは約０．５〜約２．４であり、ＸＰＳによって測定されるｙは約０．６〜約３であり、ラザフォード後方散乱分析（ＲＢＳ）又は水素前方散乱分析（ＨＦＳ）によって測定されるｚは約２〜約９である、請求項４９に記載の容器。
【請求項５１】
前記タイコーティング若しくは層が前記内表面（１６）に面した外表面を有し、前記タイコーティング若しくは層が内部表面を有する、請求項４９又は５０に記載の容器。
【発明の詳細な説明】
【技術分野】
【０００１】
本出願は、２０１５年２月２６日に出願された米国特許出願第６２／１２０，９７５号明細書及び２０１５年７月２９日に出願された米国特許出願第６２／１９８，２８６号明細書それぞれの優先権を主張する。これら各先行出願の開示全体は、開示の継続性を含めたあらゆる目的のために参照により本明細書に組み込まれる。
【０００２】
本発明は、耐擦り傷性かつ帯電防止性のコーティングを有する、バイアルやシリンジなどのシクロオレフィンポリマー（ＣＯＰ）容器に関する。本発明は、概して、物品の静電荷を低減又は防止するための、例えば容器などのプラスチック物品のための耐擦り傷性かつ帯電防止性のコーティングに関する。より具体的には、本発明は、耐擦り傷性を付与しつつも粒子汚染を低減することを目的とした、容器に対して帯電粒子が引き付けられることを低減するための、プラスチック容器上のコーティングに関する。
【背景技術】
【０００３】
例えば医薬品などの規格化された製品のための包装又は容器の製造において重視すべき事項は、実質的に汚染されていない容器の中に医薬品が確実に入れられることである。そのため、製品が入った医薬品容器の製造及び充填のプロセスは、典型的にはクリーンルーム条件で行われる。可能性のある汚染原因の１つは粒子である。粒子汚染は様々な原因から生じる場合があり、これは概して、（１）内因性の汚染物質と（２）外因性の汚染物質の２つのカテゴリーに分けることができる。内因性の汚染物質は、例えばレーザーエッチングの残渣、ろ過材、クリーンルームのユニフォームの繊維、フィルターハウジング由来のゴム粒子及びプラスチック粒子、並びにニードルシールドなどの、製品及びプロセスに関連した粒子である。外因性の汚染物質は、例えば、髪、皮膚細胞、花粉、衣類の繊維、塩、及び土などの、製品又はプロセスと無関係の原因に由来する。ろ過システム及び適正な製造基準によって、容器が製造又は充填される場所の表面の及び浮遊する粒子の数を抑制できるものの、これらのことは必ずしも容器表面上の粒子の数を許容できる水準まで抑制するとは限らない。１つの具体的な問題は、製造されたプラスチック容器の静電荷（帯電粒子を引きつける傾向がある）によって生じる。浮遊する／表面の粒子の数が比較的少なかったとしても、強い静電荷を有するプラスチック容器は、粒子状汚染物質を引きつけてこれらを容器に付着させる一種の磁石として機能し得る。
【０００４】
本発明の範囲に含まれるＣＯＰ物品としては、例えば実験器具（例えばチューブ及びバイアル）及び非経口容器（例えばシリンジ及びカートリッジ）が挙げられる。
【０００５】
プラスチック製の容器は、ガラス容器と比べて軽量で非常に割れにくいという優位性を有する。しかし、プラスチック容器の欠点は、その高い擦り傷の付き易さである。
【０００６】
プラスチック容器又はバイアル又はシリンジは、医薬品製造のためによく使用される。製剤の製造のために、プラスチック容器は多くの場合医薬品と共に滅菌される。市販のプラスチック容器はポリエチレンプロピレン（ＰＥＰ）又はポリプロピレン（ＰＰ）を含み、オートクレーブ処理することができないが、照射滅菌又はエチレンオキシドによる滅菌を行う必要がある。
【０００７】
更に、ＰＥＰ及びＰＰのプラスチック容器は、これらが乳白色であり、そのため容器の中身の目視検査ができないという追加的な欠点を有している。
【０００８】
ＣＯＰ（シクロオレフィンポリマー）は純度が高く、透明であり、滅菌可能な、優れた防湿特性を有する樹脂である。このため、これは様々な医薬品におけるガラスの優れた代替材料である。シクロオレフィンポリマーＣＯＰ製の容器は透明であるが、同時にこれは擦り傷が付き易く帯電し易い。
【発明の概要】
【発明が解決しようとする課題】
【０００９】
これまで、擦り傷及び状態構築の問題に対しては、それぞれの問題に対して別々のコーティング又は処理を設けることによって対処されてきた。２つのタイプの機能は単一のコーティング又は他の処理では両立せず、そのため、両方の要求を満たす容器の製造が複雑なものになっていた。
【課題を解決するための手段】
【００１０】
本発明のある態様は、内部空間を覆う内表面と、外側接触表面と、接触表面上の擦り傷防止剤及び帯電防止剤を含む外面コーティングと、を有する、例えば環状オレフィンポリマー（ＣＯＰ）などのシクロオレフィンポリマーから作られた壁を含む容器に関する。擦り傷防止剤及び帯電防止剤は、任意選択的には、均一にブレンドされた外面コーティング又は帯電防止性かつ耐擦り傷性のコーティングの構成要素である。本発明の他の態様及び特徴は、以降の記述及び請求項から明らかになるであろう。
【図面の簡単な説明】
【００１１】
【図１】本発明の任意の実施形態で使用可能な、互いと及び処理装置表面と接触している複数の未充填非経口容器の概略断面図である。
【図２】本発明の任意の実施形態で使用可能な、充填され蓋がされた非経口容器の図１と同様の図である。
【図３】本発明の任意の実施形態で使用可能な、傷を抑制する制御表面の具体的な改良の図２と同様の図である。
【図４】図３の線４−４から見た平面図である。
【図５】本発明の任意の実施形態で使用可能な、傷を抑制する制御表面の具体的な改良の図２と同様の図である。
【図６】本発明の任意の実施形態で使用可能な例えば非経口容器、血液チューブ、シリンジ、カートリッジ、バイアル、又はアンプルなどの（ただしこれらに限定されない）、容器及び蓋の分解概略断面図である。
【図７】本発明の任意の実施形態で使用可能な、図６に示されている容器の壁及び外面コーティングのセットのある実施形態の詳細図である。
【図８】本発明の任意の実施形態で使用可能な、図６に示されている容器の壁及び外面コーティングのセットの別の実施形態の詳細図である。
【図９】本発明の任意の実施形態で使用可能な、充填されたバイアルとしてより具体的に構成されている、図６の非経口容器の線図である。
【図１０】本発明の任意の実施形態で使用可能な、充填済みシリンジとしてより具体的に構成されている、図６の非経口容器の線図である。
【図１１】実施例５、表４からのデータを示す、０秒及び１０秒での静電気拡散性のプロットである。
【図１２】実施例６からのデータを示す、平均の静電負荷対時間のプロットである。
【図１３】静電荷を受け取って６０分保持された後、０．５ｋＶ未満の静電負荷、好ましくは本質的に静電負荷なし、最も好ましくは０ｋＶの静電負荷で、本発明による帯電防止性かつ耐擦り傷性のコーティングを有する実施例３〜８で試験した本発明の任意の実施形態で使用可能な本発明のＣＯＰバイアルの写真から描いた斜視図であり、これはタバコの灰を引き付けなかった。
【図１４】静電荷を受け取って６０分保持された後、０．５ｋＶ超の静電負荷、任意選択的には１ｋＶの静電負荷で、本発明に従ってコーティングされていない実施例３〜８で試験したＣＯＰバイアルの対照の写真から描いた斜視図であり、これはタバコの灰を引き付けることから図１３のバイアルよりも粒子汚染されやすい。
【発明を実施するための形態】
【００１２】
次の参照記号が明細書及び図面中で使用される。
【００１３】
【表１】
2018514595.tif 000003
【００１４】
ここで図１〜図１０を参照すると、薬剤流体、診断用流体、又は他の材料４０、又は他の中身を入れるか貯蔵するための、例えば１２、１２ａ、１２ｂ、又は１２ｃ、又は充填済みシリンジ１０などの非経口容器は、典型的には非経口容器１２、１２ａ、１２ｂ、又は１２ｃの外表面に（処理装置がプラスチック容器の内部と接触する場合には傷抑制接触表面２６は任意選択的には容器１２、１２ａ、１２ｂ、又は１２ｃの中に設けられてもよい）、任意選択的には濁りがなく任意選択的には透明のコーティング又は他の傷抑制接触表面又は外面コーティング又は帯電防止性かつ耐擦り傷性のコーティングセット２６を包含し、これらは図８に示されているような単一のコーティング２６であってもよく、あるいは図７に示されているような帯電防止性かつ耐擦り傷性のコーティング２６ａを１つ以上の層として含むコーティングセット２６であってもよい。傷抑制接触表面又は外面コーティング又は帯電防止性かつ耐擦り傷性のコーティング２６によって、容器を未コーティングの容器よりも傷付きにくくすることができる。
【００１５】
任意の実施形態において、任意選択的には、容器１２、１２ａ、１２ｂ、又は１２ｃは、熱可塑性の基材から作られていてもよい。任意の実施形態のもう１つの選択肢として、容器１２、１２ａ、１２ｂ、又は１２ｃは、ガラス基材製であってもよい。ガラスはプラスチックよりも傷付きにくいものの、本開発事項はガラス容器の製造のためにも利用できる。
【００１６】
任意の実施形態において、任意選択的には、コーティングセット２６は透明であってもよい。任意の実施形態において、任意選択的には、コーティングセット２６は、非経口容器１２、１２ａ、１２ｂ、又は１２ｃを、任意選択的には変更なしに、容器処理ライン４６などの従来のガラスバイアル充填ラインに通すことを可能にする。任意の実施形態において、任意選択的には、コーティングセット２６は、非経口容器１２、１２ａ、１２ｂ、又は１２ｃの中に包装される薬剤流体、診断用流体、又は他の材料４０に対して有害な溶出物を含まない。
【００１７】
任意の実施形態において、任意選択的には、コーティングセット２６は迅速に、容易に、かつ安価に設けることができる。任意の実施形態において、任意選択的には、非経口容器１２、１２ａ、１２ｂ、又は１２ｃの充填及び他の処理は、大量製造プロセスにスケールアップすることができる。
【００１８】
図１及び図２を参照すると、薬剤流体、診断用流体、又は他の材料４０の熱可塑性非経口容器１２、１２ａ、１２ｂ、又は１２ｃの中への包装方法が概略的に図示されている。概して、方法は、複数の熱可塑性基材の非経口容器１２、１２ａ、１２ｂ、又は１２ｃを準備することを含む。傷抑制接触表面又は外面コーティング又は帯電防止性かつ耐擦り傷性のコーティング２６は、各容器１２、１２ａ、１２ｂ、又は１２ｃの上に設けられる。容器１２、１２ａ、１２ｂ、又は１２ｃの上の傷抑制接触表面又は外面コーティング又は帯電防止性かつ耐擦り傷性のコーティング２６は、任意選択的には複数の非経口容器１２、１２ａ、１２ｂ、若しくは１２ｃのうちの１つ以上、又は処理装置表面４７、又はその両方と接触する場合がある。別の可能性として１つの容器の傷抑制接触表面と耐傷性ではない別の容器の表面との間で接触が生じる場合があるものの、任意の実施形態において、任意選択的には、接触する容器１２、１２ａ、１２ｂ、又は１２ｃの傷抑制接触表面は、互いに直接接触する。いずれかのそのような接触の前、最中、又は後、あるいはこれらの段階の２つ以上で、複数の非経口容器１２、１２ａ、１２ｂ、又は１２ｃに、薬剤流体、又は診断用流体、又は他の材料４０を充填することができる。
【００１９】
任意の実施形態において、任意選択的には、傷抑制接触表面又は外面コーティング又は帯電防止性かつ耐擦り傷性のコーティング２６は、容器１２、１２ａ、１２ｂ、又は１２ｃの上に設けられるコーティングを含む。任意の実施形態における別の選択肢として、傷抑制接触表面又は外面コーティング又は帯電防止性かつ耐擦り傷性のコーティング２６は、熱可塑性基材の表面を含む。したがって、図面には基材と、耐傷性接触表面又は外面コーティング又は帯電防止性かつ耐擦り傷性のコーティング２６との間の界面４８が示されているものの、界面の両側の材料は同じであっても異なっていてもよく、基材と、耐傷性接触表面又は外面コーティング又は帯電防止性かつ耐擦り傷性のコーティング２６は、任意選択的にはこれらの間に界面が存在しない１つの連続した部分として形成されていてもよい。
【００２０】
任意の実施形態において、任意選択的には、傷抑制接触表面又は外面コーティング又は帯電防止性かつ耐擦り傷性のコーティング２６は、容器１２、１２ａ、１２ｂ、又は１２ｃの外表面であってもよい。任意の実施形態において、任意選択的には、傷抑制接触表面又は外面コーティング又は帯電防止性かつ耐擦り傷性のコーティング２６は、容器１２、１２ａ、１２ｂ、又は１２ｃの内表面１６であってもよい。任意の実施形態において、任意選択的には、傷抑制接触表面又は外面コーティング又は帯電防止性かつ耐擦り傷性のコーティング２６は、任意選択的には容器１２、１２ａ、１２ｂ、又は１２ｃの略円筒表面５１であってもよい。任意の実施形態においては、あるいは傷抑制接触表面は容器１２、１２ａ、１２ｂ、又は１２ｃの底部表面４４であってもよく、その上に容器１２、１２ａ、１２ｂ、又は１２ｃが垂直に立ち上がっている。任意の実施形態においては、あるいは傷抑制接触表面又は外面コーティング又は帯電防止性かつ耐擦り傷性のコーティング２６は、任意選択的には、容器１２、１２ａ、１２ｂ、又は１２ｃの、任意選択的には略円筒の壁５２である、側壁であってもよい。
【００２１】
任意の実施形態において、任意選択的には、傷抑制接触表面又は外面コーティング又は帯電防止性かつ耐擦り傷性のコーティング２６は、非経口容器１２、１２ａ、１２ｂ、又は１２ｃが形成された後に設けられてもよい。任意の実施形態において、任意選択的には、傷抑制接触表面又は外面コーティング又は帯電防止性かつ耐擦り傷性のコーティング２６は、非経口容器１２、１２ａ、１２ｂ、又は１２ｃのうちの２つの間に接触が形成される前に設けられてもよい。任意の実施形態において、任意選択的には、傷抑制接触表面又は外面コーティング又は帯電防止性かつ耐擦り傷性のコーティング２６は、非経口容器１２、１２ａ、１２ｂ、又は１２ｃが形成された後かつ非経口容器１２、１２ａ、１２ｂ、又は１２ｃが処理装置表面４７と接触する前に、非経口容器１２、１２ａ、１２ｂ、又は１２ｃの上に設けられてもよい。
【００２２】
任意の実施形態において、任意選択的には、熱可塑性非経口容器１２、１２ａ、１２ｂ、又は１２ｃはバイアルである。任意の実施形態においては、あるいは熱可塑性非経口容器１２、１２ａ、１２ｂ、又は１２ｃはカートリッジである。任意の実施形態においては、あるいは熱可塑性非経口容器１２、１２ａ、１２ｂ、又は１２ｃはシリンジである。任意の実施形態においては、あるいは熱可塑性非経口容器１２、１２ａ、１２ｂ、又は１２ｃは、シリンジとカートリッジ、シリンジとバイアル、又はカートリッジとバイアルなどの、２種以上の異なる種類の容器である。
【００２３】
任意の実施形態において、任意選択的には、傷抑制接触表面又は外面コーティング又は帯電防止性かつ耐擦り傷性のコーティング２６ａ又はコーティングセット２６は、ポリシロキサンコーティングを含んでいてもよい。傷抑制接触表面又は外面コーティング又は帯電防止性かつ耐擦り傷性のコーティングセット２６は、任意選択的には、例えばＳｉＯxコーティングであってｘが任意選択的には約１．５〜約２．９であってもよいものなどの、バリアコーティング３４を含んでいてもよい。傷抑制接触表面又は外面コーティング又は帯電防止性かつ耐擦り傷性のコーティングセット２６は、任意選択的にはＳｉＯxＣy又はＳｉＮxＣyのタイコーティング３０であって、それぞれＸＰＳ分析によって決定されるｘが任意選択的には約０．５〜約２．４であってもよくｙが任意選択的には約０．６〜約３であってもよい、タイコーティング３０を含んでいてもよい。周知のように、ＸＰＳ分析はケイ素、酸素、炭素、及び窒素を検出するが、水素は検出しない。
【００２４】
任意の実施形態において、任意選択的には、傷抑制接触表面又は外面コーティング又は帯電防止性かつ耐擦り傷性のコーティング２６は、１部のケイ素、０．５〜２．４部の酸素、及び０．６〜３部の炭素のＸＰＳ分析によって決定される原子比率で、ケイ素、酸素、及び炭素を含有するプラズマ誘起化学蒸着タイコーティング３０を含む。
【００２５】
任意の実施形態において、任意選択的には、タイコーティングは水素を更に含有し、ケイ素、酸素、炭素、及び水素を検出するラザフォード後方散乱分析によって決定される原子比率は、任意選択的には１部のケイ素、０．５〜２．４部の酸素、０．６〜３部の炭素、及び２〜１２部の水素であってもよい。
【００２６】
任意の実施形態において、任意選択的には、傷抑制接触表面は、１部のケイ素、０．５〜２．４部の窒素、及び０．６〜３部の炭素のＸＰＳ分析によって決定される原子比率で、ケイ素、窒素、及び炭素を含有するプラズマ誘起化学蒸着タイコーティング３０を含む。任意選択的には、コーティングは水素を更に含有し、ラザフォード後方散乱分析によって決定される原子比率は、１部のケイ素、０．５〜２．４部の窒素、０．６〜３部の炭素、及び２〜１２部の水素である。
【００２７】
任意の実施形態において、任意選択的には、傷抑制接触表面又は外面コーティング又は帯電防止性かつ耐擦り傷性のコーティング２６は、窒化ケイ素コーティング、あるいはアモルファス炭素コーティング、あるいはパーフルオロ化炭化水素コーティングを含む。任意の実施形態において、任意選択的には、傷抑制接触表面又は外面コーティング又は帯電防止性かつ耐擦り傷性のコーティング２６は、Ｍｏｒｇａｎ  Ａｄｖａｎｃｅｄ  Ｃｅｒａｍｉｃｓ，Ｉｎｃ．，Ｈａｙｗａｒｄ  Ｃａｌｉｆｏｒｎｉａから入手可能なＤｉａｍｏｎｄＳｈｉｅｌｄ（登録商標）コーティングを含む。任意の実施形態において、任意選択的には、傷抑制接触表面又は外面コーティング又は帯電防止性かつ耐擦り傷性のコーティング２６は、ダイヤモンドライクカーボン（ＤＬＣ）コーティングを含む。
【００２８】
任意の実施形態において、任意選択的には、傷抑制接触表面又は外面コーティング又は帯電防止性かつ耐擦り傷性のコーティング２６は、米国特許第７，９８５，１８８号明細書に開示されているようなポリ塩化ビニリデン（ＰＶｄＣ）コーティングを含む。
【００２９】
任意の実施形態において、任意選択的には、傷抑制接触表面又は外面コーティング又は帯電防止性かつ耐擦り傷性のコーティング２６は、ゾル−ゲルコーティングを含む。好適なゾル−ゲルコーティングの例としては、シリカ充填ナノ複合コーティング、Ｆｒａｕｎｈｏｆｅｒ  Ｉｎｓｔｉｔｕｔｅ，Ｍｕｎｉｃｈ  Ｇｅｒｍａｎｙから入手可能なＯＲＭＯＣＥＲ（登録商標）耐擦り傷性コーティング、又はＶＴＴフィンランド技術研究センター（ＶＴＴ  Ｔｅｃｈｎｉｃａｌ  Ｒｅｓｅａｒｃｈ  Ｃｅｎｔｒｅ  ｏｆ  Ｆｉｎｌａｎｄ）から入手可能な二軸配向ＰＬＡ−モンモリロナイト−ナノ複合材料が挙げられる。
【００３０】
任意の実施形態において、任意選択的には、傷抑制接触表面又は外面コーティング又は帯電防止性かつ耐擦り傷性のコーティング２６は、例えばウレタンアクリレートコーティングなどのアクリルコーティングを含む。例えば、Ｂａｙｅｒ  Ａｋｔｉｅｎｇｅｓｅｌｌｓｃｈａｆｔ，Ｌｅｖｅｒｋｕｓｅｎ  Ｇｅｒｍａｎｙから入手可能な、Ｄｅｓｍｏｌｕｘ（登録商標）ウレタンアクリレートコーティングを使用することができる。
【００３１】
任意の実施形態において、任意選択的には、傷抑制接触表面又は外面コーティング又は帯電防止性かつ耐擦り傷性のコーティング２６は、水性コーティング系を含む。傷抑制接触表面又は外面コーティング又は帯電防止性かつ耐擦り傷性のコーティング２６は、任意選択的にはＮＥＩ  Ｃｏｒｐｏｒａｔｉｏｎ，Ｓｏｍｅｒｓｅｔ  ＮＪから入手可能なＮａｎｏｍｙｔｅ（登録商標）光学コーティングを含んでいてもよい。傷抑制接触表面又は外面コーティング又は帯電防止性かつ耐擦り傷性のコーティング２６は、任意選択的にはＤｏｗ  Ｃｏｒｎｉｎｇ  Ｃｏｒｐｏｒａｔｉｏｎ，Ｍｉｄｌａｎｄ，Ｍｉｃｈｉｇａｎから入手可能なシランから誘導されるアクリルポリオールコーティングを含んでいてもよい。傷抑制接触表面又は外面コーティング又は帯電防止性かつ耐擦り傷性のコーティング２６は、任意選択的にはＤｏｗ  Ｃｏｒｎｉｎｇ  Ｃｏｒｐｏｒａｔｉｏｎ，Ｍｉｄｌａｎｄ，ＭＩから入手可能な、特別に設計された触媒系を含む予め加水分解して予め縮合したシランコーティングを含んでいてもよい。
【００３２】
傷抑制接触表面又は外面コーティング又は帯電防止性かつ耐擦り傷性のコーティング２６は、任意選択的にはＯＨ、グリコール、又は重いアルコール基が末端のシランコーティングを含んでいてもよい。
【００３３】
傷抑制接触表面又は外面コーティング又は帯電防止性かつ耐擦り傷性のコーティング２６は、任意選択的にはエポキシコーティングを含んでいてもよい。傷抑制接触表面又は外面コーティング又は帯電防止性かつ耐擦り傷性のコーティング２６は、任意選択的には３Ｍ  Ｃｏｍｐａｎｙ，Ｓｔ．Ｐａｕｌ，Ｍｉｎｎｅｓｏｔａから入手可能なＳｃｏｔｃｈｋｏｔｅ（登録商標）耐摩耗性エポキシ又はポリウレタンコーティングを含んでいてもよい。
【００３４】
傷抑制接触表面又は外面コーティング又は帯電防止性かつ耐擦り傷性のコーティング２６は、任意選択的にはポリシロキサン樹脂コーティングを含んでいてもよい。例えば、傷抑制接触表面又は外面コーティング又は帯電防止性かつ耐擦り傷性のコーティング２６は、任意選択的にはＴ．Ｓ．Ｐｏｌｙｍｅｒｓ，Ｉｎｃ．，Ｂａｔａｖｉａ，Ｏｈｉｏから入手可能なＤｕｒａｖｕｅ（登録商標）耐摩耗性ポリシロキサンハードコートを含んでいてもよい（ｈｔｔｐ：／／ｗｗｗ．ｔｓｐｉｎｃ．ｃｏｍ／ａｎｔｉ−ｓｃｒａｔｃｈ−ｃｏａｔｉｎｇｓを参照）。
【００３５】
傷抑制接触表面又は外面コーティング又は帯電防止性かつ耐擦り傷性のコーティング２６は、任意選択的には例えばＰａｒｙｌｅｎｅ（登録商標）ＨＴｘなどのＰａｒｙｌｅｎｅ（登録商標）コーティングを含んでいてもよい。そのようなコーティング及び他の有用なコーティングは、ＳｉＯ2  Ｍｅｄｉｃａｌ  Ｐｒｏｄｕｃｔｓ，Ｉｎｃ．によって２０１３年９月２７日に出願されたＰＣＴ／ＵＳ第１３／６２２４７号明細書に記載されており、これは参照により本明細書に組み込まれる。
【００３６】
任意の実施形態において、任意選択的には、傷抑制接触表面又は外面コーティング又は帯電防止性かつ耐擦り傷性のコーティング２６は、非経口容器１２、１２ａ、１２ｂ、又は１２ｃのうちの１つ以上のバルク熱可塑性組成物の配合を修正してスリップ剤を添加することによって得ることができる。スリップ剤は、非経口容器１２、１２ａ、１２ｂ、又は１２ｃの形成時又はその後のポリマーに表面潤滑性を付与する。意図されるスリップ剤には、例えばオレイル（Ｃ18、不飽和が１つ）のような、脂肪酸鎖が１８〜２２個の炭素原子を有し好ましくは１つの不飽和部位を有する、長鎖脂肪酸アミドなどの脂肪酸アミドが含まれる。
【００３７】
任意の実施形態において、傷抑制接触表面又は外面コーティング又は帯電防止性かつ耐擦り傷性のコーティング２６は、任意選択的には透明コーティングを含んでいてもよい。コーティングされた表面は、任意選択的には、ヒトの肉眼では対応する未コーティング表面と区別がつかない場合がある。
【００３８】
任意の実施形態において、任意選択的には、容器１２、１２ａ、１２ｂ、又は１２ｃの傷抑制接触表面は、容器１２、１２ａ、１２ｂ、若しくは１２ｃが別の非経口容器１２、１２ａ、１２ｂ、若しくは１２ｃと、又は自動容器処理ライン４６の処理装置表面４７と接触することで生じる傷を効果的に低減することができる。
【００３９】
任意の実施形態において、容器１２、１２ａ、１２ｂ、又は１２ｃの傷抑制接触表面又は外面コーティング又は帯電防止性かつ耐擦り傷性のコーティング２６は、任意選択的には、ガラス容器充填ライン又は他の処理ラインにおいて任意選択的には変更なしで、使用される装置中又は使用のために特定され構成されている装置中での容器１２、１２ａ、１２ｂ、又は１２ｃの処理によって生じる傷を効果的に低減することができる。あるいは、容器１２、１２ａ、１２ｂ、又は１２ｃ上に傷抑制接触表面又は外面コーティング又は帯電防止性かつ耐擦り傷性のコーティング２６が設けられていない場合よりも、本発明を使用するガラス容器充填ラインのために使用される装置に対してより単純な、より安価な、又はより少ない変更を行うことができる。
【００４０】
任意の実施形態において、傷抑制接触表面又は外面コーティング又は帯電防止性かつ耐擦り傷性のコーティング２６は、任意選択的には医薬品で禁止されている溶出物を少なくとも本質的に含まないことができる。あるいは、傷抑制接触表面又は外面コーティング又は帯電防止性かつ耐擦り傷性のコーティング２６は、任意選択的には医薬品に有害な量のあらゆる溶出物を含まないことができる。
【００４１】
任意の実施形態において、傷抑制接触表面又は外面コーティング又は帯電防止性かつ耐擦り傷性のコーティング２６は、任意選択的には、互いに接触する場合の２つの傷抑制接触表面又は外面コーティング又は帯電防止性かつ耐擦り傷性のコーティング２６の間での滑り運動によって生じる摩擦係数を低減する。任意の実施形態において、任意選択的には、傷抑制接触表面又は外面コーティング又は帯電防止性かつ耐擦り傷性のコーティング２６は、互いに接触する場合の傷抑制接触表面又は外面コーティング又は帯電防止性かつ耐擦り傷性のコーティング２６と装置表面４７との間での滑り運動によって生じる摩擦係数を低減する。任意の実施形態において、任意選択的には、傷抑制接触表面２６はコーティングされた表面を含み、コーティングされた表面は対応する未コーティングの表面よりも、容器のバルク材料に対してより少ない滑り摩擦を示す。任意の実施形態において、任意選択的には、コーティングされた表面は対応する未コーティングの表面よりも、他の傷抑制接触表面２６に対してより少ない滑り摩擦を示す。任意の実施形態において、任意選択的には、コーティングされた表面は対応する未コーティングの表面よりも硬い。
【００４２】
任意の実施形態において、任意選択的には、傷抑制接触表面２６は、対応する未コーティングの表面と比べて、次のタイプの傷、すなわち欠け、割れ、擦り傷、歪み、又は付着異物、のうちの少なくとも１つの、処理された容器当たりの発生率を低減する。
【００４３】
任意の実施形態において、装置の表面４７は、任意選択的にはステンレス鋼製あるいはナイロン製であってもよい。
【００４４】
任意の実施形態において、傷抑制接触表面又は外面コーティング又は帯電防止性かつ耐擦り傷性のコーティング２６は、任意選択的には、例えばＤｏｗ  Ｃｏｒｎｉｎｇ  Ｃｏｒｐｏｒａｔｉｏｎ，Ｍｉｄｌａｎｄ，Ｍｉｃｈｉｇａｎに付与された米国特許第５，３７４，４８３号明細書に開示されている技術などの、気相重合（ＶＰＰ）コーティング技術によって設けられたコーティングを含んでいてもよい。任意の実施形態において、任意選択的には、傷抑制接触表面又は外面コーティング又は帯電防止性かつ耐擦り傷性のコーティング２６は、化学蒸着（ＣＶＤ）によって設けられたコーティングを含んでいてもよい。化学蒸着の例は次の通りである。傷抑制接触表面又は外面コーティング又は帯電防止性かつ耐擦り傷性のコーティング２６は、任意選択的には、例えば米国特許第７，９８５，１８８号明細書（参照により本明細書に組み込まれる）に開示されている技術によるものなどの、プラズマ誘起化学蒸着（ＰＥＣＶＤ）によって設けられたコーティングを含んでいてもよい。
【００４５】
傷抑制接触表面又は外面コーティング又は帯電防止性かつ耐擦り傷性のコーティング２６は、任意選択的には、例えばＣｏｒｎｉｎｇ，Ｉｎｃｏｒｐｏｒａｔｅｄ，Ｃｏｒｎｉｎｇ，Ｎｅｗ  Ｙｏｒｋに付与された米国特許第８，４３５，６０５号明細書（参照により本明細書に組み込まれる）に開示されている方法などの、プラズマインパルス化学蒸着（ＰＩＣＶＤ）によって設けられたコーティングを含んでいてもよい。
【００４６】
傷抑制接触表面又は外面コーティング又は帯電防止性かつ耐擦り傷性のコーティング２６は、任意選択的には、加熱化学蒸着によって設けられたコーティングを含んでいてもよい。加熱化学蒸着は、例えばＳｉＯ2  Ｍｅｄｉｃａｌ  Ｐｒｏｄｕｃｔｓ，Ｉｎｃ．によって２０１３年９月２７日に出願されたＰＣＴ／ＵＳ第１３／６２２４７号明細書の図５及び図１２、並びに明細書の対応する部分に開示されており、この出願は参照により本明細書に組み込まれる。
【００４７】
傷抑制接触表面又は外面コーティング又は帯電防止性かつ耐擦り傷性のコーティング２６は、任意選択的には、それぞれ米国特許第７，９８５，１８８号明細書（参照により本明細書に組み込まれる）に記載されているようなバリアコーティング３４又は潤滑コーティング、又は両方の組み合わせを含んでいてもよい。傷抑制接触表面又は外面コーティング又は帯電防止性かつ耐擦り傷性のコーティング２６は、任意選択的には、ＳｉＯ2  Ｍｅｄｉｃａｌ  Ｐｒｏｄｕｃｔｓ，Ｉｎｃ．によって出願された国際公開第２０１３／０７１１３８号パンフレットに記載されているようなｐＨ保護コーティングを含んでいてもよく、この出願は参照により本明細書に組み込まれる。
【００４８】
傷抑制接触表面又は外面コーティング又は帯電防止性かつ耐擦り傷性のコーティング２６は、任意選択的には、Ｔｈｅ  Ｄｏｗ  Ｃｈｅｍｉｃａｌ  Ｃｏ．の米国特許第５，２９８，５８７号明細書（参照により本明細書に組み込まれる）に記載されているようなＳｉＯxＣyの摩耗防止コーティングを含んでいてもよい。
【００４９】
任意の実施形態においては、傷抑制接触表面又は外面コーティング又は帯電防止性かつ耐擦り傷性のコーティング２６は、任意選択的には浸漬、噴霧、又は両方によって設けられたコーティングであってもよい。
【００５０】
傷抑制接触表面又は外面コーティング又は帯電防止性かつ耐擦り傷性のコーティング２６は、任意選択的には、バルク容器壁の樹脂組成物の中に滑剤を組み込むことによって形成されてもよい。
【００５１】
傷抑制接触表面又は外面コーティング又は帯電防止性かつ耐擦り傷性のコーティング２６は、任意選択的には、容器１２、１２ａ、１２ｂ、又は１２ｃの中にバンパー５０を成形することによって形成されてもよい。
【００５２】
任意の実施形態において、任意選択的には、容器１２、１２ａ、１２ｂ、又は１２ｃは略円筒の壁５２を有し、バンパー５０は、任意選択的には、例えば図３及び図４に示されているように、各容器１２、１２ａ、１２ｂ、又は１２ｃの略円筒の壁５２の中に成形されたリブであってもよい。リブ又はバンパー５０の少なくとも一部は、傷をマスキングするように構成された形状又は表面仕上げを有する。例えば、これは艶消し表面であってもよいし、パターン化された表面であってもよい。任意の実施形態において、任意選択的には、図４に示されているように、１つ以上のリブ又はバンパー５０は、略円筒表面５１の円周方向に延びていてもよい。
【００５３】
任意の実施形態において、任意選択的には、容器１２、１２ａ、１２ｂ、又は１２ｃは、図５に示されているような、略円筒の壁５２を有し、蓋５４の受け手となるように構成された開口３２を有するバイアルであってもよく、これは図５及び図９に示されているバイアルとして具体化された非経口容器１２の場合には、クリンプ３６を更に含んでいてもよい。バンパー５０は、任意選択的には、各容器１２、１２ａ、１２ｂ、又は１２ｃの略円筒の壁５２の上方の、円周状の傷抑制接触表面又は外面コーティング又は帯電防止性かつ耐擦り傷性のコーティング２６となる上部フランジの円周方向の拡張５８であってもよい。任意の実施形態のバイアルは、円周状の傷抑制接触表面又は外面コーティング又は帯電防止性かつ耐擦り傷性のコーティング２６を覆うように構成された蓋５４を容器１２、１２ａ、１２ｂ、又は１２ｃの上に配置することによって閉じることができる。そのため、キャップは傷抑制接触表面又は外面コーティング又は帯電防止性かつ耐擦り傷性のコーティング２６の上に形成されるあらゆる傷を隠すことができる。この選択肢を使用することで、傷抑制接触表面又は外面コーティング又は帯電防止性かつ耐擦り傷性のコーティング２６は容器１２、１２ａ、１２ｂ、又は１２ｃのバルク材料によって規定され、傷を隠す特徴を有し、更に略円筒の壁５２の傷を抑制するであろう。
【００５４】
本開示によって使用される容器処理ライン４６の処理装置は、現在公知であるか将来開発される全ての範囲のそのような装置であってもよい。以降の開示は、全ての範囲のそのような装置のうちの単なる例示にすぎない。
【００５５】
任意の実施形態の処理装置４６は、任意選択的には、傷抑制接触表面２６によって接触している例えばナイロン表面又はＴｅｆｌｏｎ（登録商標）ポリテトラフルオロエチレン表面４７などの熱可塑性表面４７を含んでいてもよい。任意の実施形態の処理装置４６は、任意選択的には、傷抑制接触表面２６によって接触している例えばステンレス鋼表面４７などの金属表面４７を含んでいてもよい。
【００５６】
傷抑制接触表面２６によって接触している処理装置４６は、任意選択的には次のタイプの装置のうちのいずれかの１つ又は任意の組み合わせを含んでいてもよい：容器フィーダ、容器ガイド、容器オリエンタ、容器グリッパ、容器ローダ、容器コンベア、容器インデクサ、容器フィラー、容器キャッパ、容器クリンパ、容器ピッカー、容器プレイサー、容器検査場、容器コーティング場、容器ラベラ、容器カートナー、コンベアベルト、テーブルフィーダ、回転テーブルフィーダ、回転台、回転コレクティングホイール、連続フィーダ、横型ローダ、スクロールフィーダ、スクリューフィーダ、ウォーキングビームコンベア、ピックアンドプレースコンベア、封栓システム、クリンパ、回転クリンピングホイール、輸送スリーブ、ゲーティングスターホイール、タブローダ、タブアンローダ、タブアンローディンググリッパ、及び／又はタブ。この装置の列挙は、全てのそのような装置の例示である。
【００５７】
非経口容器は、任意選択的には、傷抑制接触表面又は外面コーティング又は帯電防止性かつ耐擦り傷性のコーティング２６と、略円筒の壁５２などの非傷抑制表面とを有する。
【００５８】
非経口容器１２、１２ａ、１２ｂ、又は１２ｃを形成するために使用される基材は、任意の適切な材料であってもよく、好ましくは熱可塑性材料、又はドロー成形可能な材料などの他の熱成形可能な材料であってもよい。好適な材料の複数の例は次の通りである。示されている非経口容器のためには、例えば二重壁の又は他のより複雑な容器が形成される場合には、２種以上の種類の材料を使用することができる。オレフィンポリマー（例えばポリプロピレン（ＰＰ）又はポリエチレン（ＰＥ））、環状オレフィンコポリマー（ＣＯＣ）；環状オレフィンポリマー（ＣＯＰ）；ポリメチルペンテン；ポリエステル（例えばポリエチレンテレフタレート、ポリエチレンナフタレート、又はポリブチレンテレフタレート（ＰＢＴ））；ＰＶｄＣ（ポリ塩化ビニリデン）；ポリ塩化ビニル（ＰＶＣ）；ポリカーボネート；ポリ乳酸；ポリスチレン、水素化ポリスチレン；ポリ（シクロヘキシルエチレン）（ＰＣＨＥ）；エポキシ樹脂；ナイロン；ポリウレタンポリアクリロニトリル（ＰＡＮ）；ポリアクリロニトリル（ＰＡＮ）；アイオノマー樹脂（例えばＳｕｒｌｙｎ（登録商標））；ガラス（例えばホウケイ酸ガラス）；又はこれらの任意の２種以上の組み合わせ。現在好ましい材料としては、環状オレフィンポリマー、ポリエチレンテレフタレート、又はポリプロピレンが挙げられ、より好ましくはＣＯＰである。
【００５９】
ＣＯＰ及びＣＯＣは高純度であり、防湿性であり、透明であり、滅菌耐性のある樹脂であり、そのためこれらは幅広い範囲の医薬品における、非常に優れたガラスの代替物となる。しかし、ＣＯＰはコーティングの接着性、透明性、延性、及び溶融加工性の点でＣＯＣと比較して非常に異なるポリマーであることに留意すべきである。例えば、ＺＥＯＮＥＸ（登録商標）６９０（ＣＯＰ）は、ＴＯＰＡＳ（登録商標）６０１３Ｍ−０７（ＣＯＣ）と、物理特性及び性能特性の点で対比することができる。ＺＥＯＮＥＸ（登録商標）はより延性のある材料であり、より優れた透明度を有し、落下しても容易には粉々にならない。またこのＣＯＰはより少ない溶出物しか有さず、これは医薬品包装での明らかな利点である。これらの相違のいくつかは次の表にまとめられている。
【００６０】
【表２】
2018514595.tif 000004
【００６１】
本明細書の容器のためには、本発明によれば、容器のための材料として環状オレフィンポリマー（ＣＯＰ）が好ましい。ＣＯＰは、ノルボルネンなどの嵩高い環状オレフィンから誘導される。これは、開環メタセシス重合（ＲＯＭＰ）及びそれに続くＣ＝Ｃの水素化によって得ることができる。対照的に、環状オレフィンコポリマー（ＣＯＣ）は、８，９，１０−トリノルボルン−２−エン（ノルボルネン）又は１，２，３，４，４ａ，５，８，８ａ−オクタヒドロ−１，４：５，８−ジメタノナフタレン（テトラシクロドデセン）などの環状モノマーと、エチレン（ＴＯＰＡＳ（登録商標）Ａｄｖａｎｃｅｄ  ＰｏｌｙｍｅｒのＴＯＰＡＳ（登録商標）及び三井化学株式会社のＡＰＥＬ（登録商標）等）との連鎖共重合によって製造される。ＣＯＣ及びＣＯＰへの合成工程に関する化学構造は下に示されている。
【化１】
2018514595.tif 000005
【００６２】
高純度のシクロオレフィンポリマーを使用することが好ましい。ＣＯＰポリマーは、商品名ＺＥＯＮＥＸ（登録商標）としてＺｅｏｎから入手可能である。これらは高い耐破損性、高い透明性、並びに高い耐熱、耐放射、及び耐薬品性によって区別される。これらはイオン及び重金属を含まない。これらはオートクレーブ処理、エチレンオキシド、及び、ガンマ線若しくは電子線照射によって滅菌することができる。更に、これらは水蒸気及び酸素に対する顕著なバリア特性を有する。例えば、ＺＥＯＮＥＸ（登録商標）６９０Ｒは、ポリプロピレンよりも低い水蒸気及び酸素の透過性を示す。
【００６３】
固体又は液体の帯電防止剤は、硬化後のＯＲＭＯＣＥＲ（登録商標）の耐擦り傷性挙動に悪影響を与えることなしに、硬化前にＯＲＭＯＣＥＲ（登録商標）コーティング溶液配合物の中にブレンドすることができる。本発明の任意選択的な実施形態で使用し得る帯電防止剤としては、例えばエトキシル化アルキルアミド、ステアリン酸グリセロール、脂肪酸エステル、カチオン性ポリアクリレート、ポリオールのエステル又はエーテル及びアルキル硫酸ナトリウム、四級アンモニウム化合物、並びにアルキルリン酸塩が挙げられる。市販の帯電防止材としては、ＣｉｂａのＩＲＧＡＳＴＡＴ（登録商標）、ＢＡＳＦのＬＡＲＯＳＴＡＴ（登録商標）３７７、ＣｙｔｅｃのＣＹＡＳＴＡＴ（登録商標）ＬＳ、ＳＮ、若しくはＳＰ、Ｅａｓｔｅｒｎ  Ｃｏｌｏｒ  ａｎｄ  ＣｈｅｍｉｃａｌのＥＣＣＯＳＴＡＴ（商標）  ＡＳＰ、及びＥｖｏｎｉｋのＡＤＤＩＤ（登録商標）を挙げることができる。本開示で有用性が見出されるいくつかの具体的な材料としては、ＡＤＤＩＤ２４０又はＡＤＤＩＤ２３０（固体塩と四級窒素化合物とから処方される液体帯電防止剤、Ｅｖｏｎｉｋ  Ｒｅｓｏｕｒｃｅ  Ｅｆｆｉｃｉｅｎｃｙ  ＧｍｂＨから販売、ＴＥＧＯ製品）；Ｉｎｄｕｑｕａｔ  ＥＣＲ９５６（エタノールに溶解したカチオン性ポリアクリレート、Ｉｎｄｕｌｏｒ  Ｃｈｅｍｉｅ  ＧｍｂＨ，Ａｎｋｕｍ，Ｇｅｒｍａｎｙから販売）；及びＩｎｄｕｎａｌ  ＥＣＲ７７４（ポリスチレンスルホン酸ナトリウム水溶液、これもＩｎｄｕｌｏｒ  Ｃｈｅｍｉｅ  ＧｍｂＨから販売）が挙げられる。
【００６４】
ある実施形態は、物品の内壁上の１種以上の内部コーティング（例えば、タイコーティング若しくは層、バリアコーティング若しくは層、及びｐＨ保護コーティング若しくは層）を含む物品（容器を含む）であって、この物品はその外壁上に耐擦り傷性−帯電防止性コーティングを更に有する。
【００６５】
内側の１つ又は複数の層、並びにそのような層を設けるための方法及び装置のための特許出願発明の明細書及び図面である国際公開第２０１４／１６４９２８号パンフレット及び米国特許出願公開第２０１４／０２５１８５９号明細書は、参照によりこれらの全体が本明細書に組み込まれる。上述の特許出願には少なくとも１部の内部空間を覆う内部表面を有する容器又は物品の中の熱可塑性の壁を含む容器が記載されている。内部表面は、タイコーティング若しくは層、バリアコーティング若しくは層、及びｐＨ保護コーティング若しくは層を含んでいてもよい。タイコーティング若しくは層は、ＳｉＯxＣyＨz又はＳｉＮxＣyＨzであり、ここで、Ｘ線光電子分光（ＸＰＳ）によって測定されるｘは約１．５〜約２．４であり、ＸＰＳによって測定されるｙは約０．６〜約３であり、好ましくはラザフォード後方散乱分析（ＲＢＳ）によって測定される（あるいは水素前方散乱（ＨＦＳ）によって測定することも可能である）ｚは約２〜約９である。タイコーティング若しくは層は、内表面（１６）に面した外表面を有しており、タイコーティング若しくは層は内部表面を有する。
【００６６】
バリアコーティング若しくは層はＳｉＯxであり、ここで、ＸＰＳによって測定されるｘは約１．５〜約２．９である。バリアコーティング若しくは層は、プラズマ誘起化学蒸着（ＰＥＣＶＤ）によって設けることができる。バリアコーティング若しくは層は、タイコーティング若しくは層の内表面と内部空間との間に位置し、熱可塑性の壁によって支持される。
【００６７】
ｐＨ保護コーティング若しくは層はＳｉＯxＣyＨzであり、ここで、ＸＰＳによって測定されるｘは約０．５〜約２．４であり、ＸＰＳによって測定されるｙは約０．６〜約３であり、好ましくはＲＢＳによって測定される（あるいはこれより好ましくないものの水素前方散乱（ＨＦＳ）によって測定される）ｚは約２〜約９である。ｐＨ保護コーティング若しくは層はＰＥＣＶＤによって設けることができ、これはバリアコーティング若しくは層と内部空間との間に位置する。ｐＨ保護コーティング若しくは層、及びタイコーティング若しくは層は共に、少なくとも６か月の期間、５より大きいｐＨ、任意選択的には８のｐＨを有する内部空間中に含まれる流体によって攻撃される結果としてバリアコーティング若しくは層が少なくとも実質的に溶解しないように効果的に維持する。
【００６８】
任意の実施形態においては、薬剤流体、診断用流体、又は他の材料４０は、任意選択的にはヒトへの非経口投与に好適な任意の医薬品物質であってもよい。薬剤流体、診断用流体、又は他の材料４０は、任意選択的には任意の診断用物質であってもよい。薬剤流体、診断用流体、又は他の材料４０は、任意選択的にはヒトへの投与に好適な任意の麻酔物質であってもよい。好適な医薬品物質又は診断用物質のいくつかの非限定的な実施例は次の通りである。これらのいずれか１つ、又は２つ以上の任意の組み合わせを使用することができる。
【００６９】
注射用の薬品
Ａｂｌａｖａｒ（ガドホスベセット三ナトリウム注射薬）；アバレリックスデポ；アボボツリナムトキシンＡ注射薬（ディスポート）；ＡＢＴ−２６３；ＡＢＴ−８６９；ＡＢＸ−ＥＦＧ；Ａｃｃｒｅｔｒｏｐｉｎ（ソマトロピン注射薬）；Ａｃｅｔａｄｏｔｅ（アセチルシステイン注射薬）；Ａｃｅｔａｚｏｌａｍｉｄｅ注射薬（アセタゾラミド注射薬）；アセチルシステイン注射薬（Ａｃｅｔａｄｏｔｅ）；アクテムラ（トシリズマブ注射薬）；Ａｃｔｈｒｅｌ（注射用のコルチコレリンオーバイントリフルテート）；Ａｃｔｕｍｍｕｎｅ；Ａｃｔｉｖａｓｅ；注射用アシクロビル（Ｚｏｖｉｒａｘ注射薬）；Ａｄａｃｅｌ；アダリムマブ；アデノスキャン（アデノシン注射薬）；アデノシン注射薬（アデノスキャン）；Ａｄｒｅｎａｃｌｉｃｋ；ＡｄｒｅＶｉｅｗ（静脈用のヨーベングアンＩ  １２３注射薬）；Ａｆｌｕｒｉａ；Ａｋ−Ｆｌｕｏｒ（フルオレセイン注射薬）；アウドラザイム（ラロニダーゼ）；アルグルセラーゼ注射薬（Ｃｅｒｅｄａｓｅ）；アルケラン注射薬（メルファランＨｃｌ注射薬）；注射用アロプリノールナトリウム（Ａｌｏｐｒｉｍ）；Ａｌｏｐｒｉｍ（注射用アロプリノールナトリウム）；アルプロスタジル；Ａｌｓｕｍａ（スマトリプタン注射薬）；ＡＬＴＵ−２３８；アミノ酸注射薬；Ａｍｉｎｏｓｙｎ；アピドラ；アプレミラスト；注射用アルプロスタジルデュアルチャンバーシステム（Ｃａｖｅｒｊｅｃｔ  Ｉｍｐｕｌｓｅ）；ＡＭＧ００９；ＡＭＧ０７６；ＡＭＧ１０２；ＡＭＧ１０８；ＡＭＧ１１４；ＡＭＧ１６２；ＡＭＧ２２０；ＡＭＧ２２１；ＡＭＧ２２２；ＡＭＧ２２３；ＡＭＧ３１７；ＡＭＧ３７９；ＡＭＧ３８６；ＡＭＧ４０３；ＡＭＧ４７７；ＡＭＧ４７９；ＡＭＧ５１７；ＡＭＧ５３１；ＡＭＧ５５７；ＡＭＧ６２３；ＡＭＧ６５５；ＡＭＧ７０６；ＡＭＧ７１４；ＡＭＧ７４５；ＡＭＧ７８５；ＡＭＧ８１１；ＡＭＧ８２７；ＡＭＧ８３７；ＡＭＧ８５３；ＡＭＧ９５１；Ａｍｉｏｄａｒｏｎｅ  ＨＣｌ注射薬（アミオダロンＨＣｌ注射薬）；アモバルビタールナトリウム注射薬（アミタールナトリウム）；アミタールナトリウム（アモバルビタールナトリウム注射薬）；Ａｎａｋｉｎｒａ；抗−Ａベータ；抗−ベータ７；抗−ベータ２０；抗−ＣＤ４；抗−ＣＤ２０；抗−ＣＤ４０；抗−ＩＦＮアルファ；抗−ＩＬ１３；抗−ＯＸ４０Ｌ；抗−ｏｘＬＤＳ；抗−ＮＧＦ；抗−ＮＲＰｌ；アリクストラ；Ａｍｐｈａｄａｓｅ（ヒアルロニダーゼ注射薬）；Ａｍｍｏｎｕｌ（フェニル酢酸ナトリウム及び安息香酸ナトリウムの注射薬）；Ａｎａｐｒｏｘ；Ａｎｚｅｍｅｔ注射薬（メシル酸ドラセトロン注射薬）；アピドラ（インスリングルリジン［ｒＤＮＡ由来］注射薬）；Ａｐｏｍａｂ；Ａｒａｎｅｓｐ（ダルベポエチンアルファ）；Ａｒｇａｔｒｏｂａｎ（アルガトロバン注射薬）；アルギニン塩酸塩注射薬（Ｒ−Ｇｅｎｅ１０）；アリストコート；アリストスパン；三酸化ヒ素注射薬（Ｔｒｉｓｅｎｏｘ）；Ａｒｔｉｃａｎｅ  ＨＣｌ及びエピネフリン注射薬（セプトカイン）；アーゼラ（オファツムマブ注射薬）；Ａｓｃｌｅｒａ（ポリドカノール注射薬）；Ａｔａｌｕｒｅｎ；Ａｔａｌｕｒｅｎ−ＤＭＤ；アテノロール注射薬（テノーミンＩ．Ｖ．注射薬）���Ａｔｒａｃｕｒｉｕｍ  Ｂｅｓｙｌａｔｅ注射薬（アトラクリウムベシル酸塩注射薬）；アバスチン；アザクタム注射薬（アズトレオナム注射薬）；アジスロマイシン（Ｚｉｔｈｒｏｍａｘ注射薬）；アズトレオナム注射薬（Ａｚａｃｔａｍ注射薬）；バクロフェン注射薬（Ｌｉｏｒｅｓａｌ髄注）；静菌水（注射用静菌水）；バクロフェン注射薬（Ｌｉｏｒｅｓａｌ髄注）；Ｂａｌ  ｉｎ  Ｏｉｌアンプル（ジメルカプロール注射薬）；ＢａｙＨｅｐＢ；ＢａｙＴｅｔ；ベナドリル；ベンダムスチン塩酸塩注射薬（Ｔｒｅａｎｄａ）；メシル酸ベンズトロピン注射薬（Ｃｏｇｅｎｔｉｎ）；ベタメタゾン懸濁注射液（Ｃｅｌｅｓｔｏｎｅ  Ｓｏｌｕｓｐａｎ）；ベキサール；バイシリンＣ−Ｒ９００／３００（ペニシリンＧベンザチン及びペニシリンＧプロカイン注射薬）；ブレノキサン（ブレオマイシン硫酸塩注射薬）；ブレオマイシン硫酸塩注射薬（ブレノキサン）；Ｂｏｎｉｖａ注射薬（イバンドロネートナトリウム注射薬）；ボトックス化粧品（注射用ＯｎａｂｏｔｕｌｉｎｕｍｔｏｘｉｎＡ）；ＢＲ３−ＦＣ；Ｂｒａｖｅｌｌｅ（ウロホリトロピン注射薬）；ブレチリウム（ブレチリウムトシレート注射薬）；ブレビタールナトリウム（注射用メトヘキシタールナトリウム）；Ｂｒｅｔｈｉｎｅ；Ｂｒｉｏｂａｃｅｐｔ；ＢＴＴ−１０２３；ブピバカインＨＣｌ；バイエッタ；Ｃａ−ＤＴＰＡ（ペンテト酸カルシウム三ナトリウム注射薬）；カバジタキセル注射薬（ジェブタナ）；カフェインアルカロイド（カフェイン及び安息香酸ナトリウム注射薬）；カルシジェックス注射薬（Ｃａｌｃｉｔｒｏｌ）；Ｃａｌｃｉｔｒｏｌ（カルシジェックス注射薬）；塩化カルシウム（塩化カルシウム注射薬１０％）；カルシウム二ナトリウムベルセネート（エデト酸カルシウム二ナトリウム注射薬）；Ｃａｍｐａｔｈ（Ａｌｔｅｍｔｕｚｕｍａｂ）；Ｃａｍｐｔｏｓａｒ注射薬（イリノテカン塩酸塩）；カナキヌマブ注射薬（イラリス）；カパスタット硫酸塩（注射用カプレオマイシン；注射用カプレオマイシン（カパスタット硫酸塩）；Ｃａｒｄｉｏｌｉｔｅ（注射用テクネチウムＴｃ９９セスタミビ調製キット）；Ｃａｒｔｉｃｅｌ；Ｃａｔｈｆｌｏ；注射用セファゾリン及びブドウ糖（セファゾリン注射薬）；セフェピム塩酸塩；セフォタキシム；セフトリアキソン；セレザイム；カルニトール注射薬；カバージェクト；Ｃｅｌｅｓｔｏｎｅ  Ｓｏｌｕｓｐａｎ；Ｃｅｌｓｉｏｒ；セレビックス（ホスフェニトインナトリウム注射薬）；セレデース（アルグルセラーゼ注射薬）；Ｃｅｒｅｔｅｃ（テクネチウムＴｃ９９ｍエキサメタジム注射薬）；セルトリズマブ；ＣＦ−１０１；クロラムフェニコールコハク酸ナトリウム（クロラムフェニコールコハク酸ナトリウム注射薬）；クロラムフェニコールコハク酸ナトリウム注射薬（クロラムフェニコールコハク酸ナトリウム）；コレスタゲル（コレセベラムＨＣＬ）；絨毛性ゴナドトロピンアルファ注射薬（Ｏｖｉｄｒｅｌ）；シムジア；シスプラチン（シスプラチン注射薬）；クロラール（クロファラビン注射薬）；クエン酸クロミフィン；クロニジン注射薬（Ｄｕｒａｃｌｏｎ）；コゲンチン（メシル酸ベンズトロピン注射薬）；コリスチメタート注射薬（Ｃｏｌｙ−Ｍｙｃｉｎ  Ｍ）；Ｃｏｌｙ−Ｍｙｃｉｎ  Ｍ（コリスチメタート注射薬）；Ｃｏｍｐａｔｈ；コニバプタンＨｃｌ注射薬（バプリゾール）；注射用結合型エストロゲン（プレマリン注射薬）；コパキソン；注射用コルチコレリンオーバイントリフルテート（Ａｃｔｈｒｅｌ）；コルベルト（フマル酸イブチリド注射薬）；キュビシン（ダプトマイシン注射薬）；ＣＦ−１０１；シアノキット（注射用ヒドロキソコバラミン）；シタラビンリポソーム注射薬（デポサイト）；シアノコバラミン；サイトベン（ガンシクロビル）；Ｄ．Ｈ．Ｅ．４５；ダセツズマブ；ダコゲン（デシタビン注射薬）；ダルテパリン；ダントリウムＩＶ（注射用ダントロレンナトリウム）；注射用ダントロレンナトリウム（ダントリウムＩＶ）；ダプトマイシン注射薬（キュビシン）；ダルベポエチンアルファ；ＤＤＡＶＰ注射薬（デスモプレシン酢酸塩注射薬）；Ｄｅｃａｖａｘ；デシタビン注射薬（ダコゲン）；無水アルコール（無水アルコール注射薬）；デノスマブ注射薬（プロリア）；デラテストリル；デルエストロゲン；デルテパリンナトリウム；デパコン（バルプロ酸ナトリウム注射薬）；デポメドロール（酢酸メチルプレドニゾロン懸濁注射液）；デポサイト（シタラビンリポソーム注射薬）；デポデュール（モルヒネ硫酸塩ＸＲリポソーム注射薬；デスモプレシン酢酸塩注射薬（ＤＤＡＶＰ注射薬）；デポ−エストラジオール；デポ−プロベラ１０４ｍｇ／ｍｌ；デポ−プロベラ１５０ｍｇ／ｍｌ；デポ−テストステロン；注射用デキスラゾキサン、静注のみ（Ｔｏｔｅｃｔ）；ブドウ糖／電解質；ブドウ糖及び塩化ナトリウム注射薬（０．９％の塩化ナトリウム中５％のブドウ糖）；ブドウ糖；ジアゼパム注射薬（ジアゼパム注射薬）；ジゴキシン注射薬（ラノキシン注射薬）；ジラウジッド−ＨＰ（ヒドロモルホン塩酸塩注射薬）；ジメルカプロール注射薬（Ｂａｌ  ｉｎ  Ｏｉｌ  アンプル）；ジフェンヒドラミン注射薬（ベナドリル注射薬）；ジピリダモール注射薬（Ｄｉｐｙｒｉｄａｍｏｌｅ注射薬）；ＤＭＯＡＤ；注射用ドセタキセル（タキソテール）；メシル酸ドラセトロン注射薬（アンゼメット注射薬）；ドリバックス（注射用ドリペネム）；注射用ドリペネム（ドリバックス）；ドキセルカルシフェロール注射薬（ヘクトロール注射薬）；ドキシル（ドキソルビシンＨｃｌリポソーム注射薬）；ドキソルビシンＨｃｌリポソーム注射薬（ドキシル）；Ｄｕｒａｃｌｏｎ（クロニジン注射薬）；Ｄｕｒａｍｏｒｐｈ（モルヒネ注射薬）；ディスポート（アボボツリナムトキシンＡ注射薬）；エカランチド注射薬（Ｋａｌｂｉｔｏｒ）；ＥＣ−ナプロシン（ナプロキセン）；エデト酸カルシウム二ナトリウム注射薬（カルシウム二ナトリウムベルセネート）；Ｅｄｅｘ（注射用アルプロスタジル）；Ｅｎｇｅｒｉｘ；エドロホニウム注射薬（Ｅｎｌｏｎ）；エリグルスタット酒石酸塩；エロキサチン（オキサリプラチン注射薬；Ｅｍｅｎｄ注射薬（フォサプレピタントジメグルミン注射薬）；エナラプリラット注射薬（Ｅｎａｌａｐｒｉｌａｔ注射薬）；Ｅｎｌｏｎ（エドロホニウム注射薬）；エノキサパリンナトリウム注射薬（ラブノックス）；エオビスト（ガドキセト酸二ナトリウム注射薬）；エンブレル（エタネルセプト）��エノキサパリン；Ｅｐｉｃｅｌ；エピネフェリン；エピペン；エピペンＪｒ．；エピラツズマブ；アービタックス；エルタペネム注射薬（Ｉｎｖａｎｚ）；エリスロポエテン；必須アミノ酸注射薬（Ｎｅｐｈｒａｍｉｎｅ）；シピオン酸エストラジオール；吉草酸エストラジオール；エタネルセプト；エキセナチド注射薬（バイエッタ）；エボルトラ；ファブラザイム（アダルシダーゼベータ）；ファモチジン注射薬；ＦＤＧ（フルデオキシグルコースＦ１８注射薬）；Ｆｅｒａｈｅｍｅ（フェルモキシトール注射薬）；フェリデックスＩ．Ｖ．（フェルモキシデスの注射用液）；Ｆｅｒｔｉｎｅｘ；フェルモキシデスの注射用液（フェリデックスＩ．Ｖ．）；フェルモキシトール注射薬（フェラヘム）；フラジール注射薬（メトロニダゾール注射薬）；フルアリックス；フルダラ（リン酸フルダラビン）；フルデオキシグルコースＦ１８注射薬（ＦＤＧ）；フルオレセイン注射薬（Ａｋ−Ｆｌｕｏｒ）；フォリスチムＡＱカートリッジ（フォリトロピンベータ注射薬）；フォリトロピンアルファ注射薬（ゴナール−ｆ  ＲＦＦ）；フォリトロピンベータ注射薬（フォリスチムＡＱカートリッジ）；Ｆｏｌｏｔｙｎ（静注用プララトレキサート溶液）；フォンダパリヌクス；フォルテオ（テリパラチド（ｒＤＮＡ由来）注射薬）；Ｆｏｓｔａｍａｔｉｎｉｂ；フォサプレピタントジメグルミン注射薬（イメンド注射薬）；ホスカルネットナトリウム注射薬（ホスカビル）；ホスカビル（ホスカルネットナトリウム注射薬）；ホスフェニトインナトリウム注射薬（Ｃｅｒｅｂｙｘ）；ホスプロポフォール二ナトリウム注射薬（Ｌｕｓｅｄｒａ）；フラグミン；フゼオン（エンフビルチド）；ＧＡ１０１；ガドベン酸メグルミン注射薬（Ｍｕｌｔｉｈａｎｃｅ）；ガドホスベセット三ナトリウム注射薬（Ａｂｌａｖａｒ）；ガドテリドール注射薬溶液（プロハンス）；カドベルセタミド注射薬（ＯｐｔｉＭＡＲＫ）；ガドキセト酸二ナトリウム（Ｅｏｖｉｓｔ）；ガニレリクス（ガニレリクス酢酸塩注射薬）；ガーダシル；ＧＣ１００８；ＧＤＦＤ；注射用ゲムツズマブオゾガマイシン（マイロターグ）；ジェノトロピン；ゲンタマイシン注射薬；ＧＥＮＺ−１１２６３８；ゴリムマブ注射薬（シンポニー注射薬）；ゴナール−ｆ  ＲＦＦ（フォリトロピンアルファ注射薬）；グラニセトロン塩酸塩（カイトリル注射薬）；ゲンタマイシン硫酸塩；グラチラマー酢酸塩；グ
ルカゲン；グルカゴン；ＨＡＥ１；Ｈａｌｄｏｌ（ハロペリドール注射薬）；Ｈａｖｒｉｘ；Ｈｅｃｔｏｒｏｌ注射薬（ドキセルカルシフェロール注射薬）；ヘッジホッグ経路阻害薬；へパリン；ハーセプチン；ｈＧ−ＣＳＦ；ヒューマログ；ヒト成長ホルモン；ヒューマトロープ；ＨｕＭａｘ；Ｈｕｍｅｇｏｎ；ヒュミラ；ヒューマリン；イバンドロネートナトリウム注射薬（Ｂｏｎｉｖａ注射薬）；イブプロフェンリシン注射薬（ＮｅｏＰｒｏｆｅｎ）；フマル酸イブチリド注射薬（コルベルト）；イダマイシンＰＦＳ（イダルビシン塩酸塩注射薬）；イダルビシン塩酸塩注射薬（イダマイシンＰＦＳ）；イラリス（カナキヌマブ注射薬）；注射用イミペネム及びシラスタチン（プリマキシンＩ．Ｖ．）；イミトレックス；注射用インコボツリナムトキシンＡ（ゼオミン）；Ｉｎｃｒｅｌｅｘ（メカセルミン［ｒＤＮＡ由来］注射薬）；インドシンＩＶ（インドメタシン注射薬）；インドメタシン注射薬（インドシンＩＶ）；Ｉｎｆａｎｒｉｘ；イノヘップ；インスリン；インスリンアスパルト［ｒＤＮＡ由来］注射薬（ノボログ）；インスリングラルギン［ｒＤＮＡ由来］注射薬（ランタス）；インスリングルリシン［ｒＤＮＡ由来］注射薬（アピドラ）；インターフェロンアルファ−２ｂ、注射用遺伝子組換え型（イントロンＡ）；イントロンＡ（インターフェロンアルファ−２ｂ、注射用遺伝子組換え型）；インバンズ（エルタペネム注射薬）；Ｉｎｖｅｇａ  Ｓｕｓｔｅｎｎａ（パリペリドンパルミチン酸エステル徐放性懸濁注射液）；インビラーゼ（サキナビルメシル酸塩）；ヨーベングアンＩ  １２３静注用注射薬（ＡｄｒｅＶｉｅｗ）；イオプロミド注射薬（Ｕｌｔｒａｖｉｓｔ）；イオベルソール注射薬（オプチレイ注射薬）；Ｉｐｌｅｘ（メカセルミンリンファバート［ｒＤＮＡ由来］注射薬）；Ｉｐｒｉｖａｓｋ；イリノテカン塩酸塩（Ｃａｍｐｔｏｓａｒ注射薬）；含糖酸化鉄注射薬（ヴェノファー）；Ｉｓｔｏｄａｘ（注射用ロミデプシン）；イトラコナゾール注射薬（スポラノックス注射薬）；ジェブタナ（カバジタキセル注射薬）；Ｊｏｎｅｘａ；Ｋａｌｂｉｔｏｒ（エカランチド注射薬）；ＫＣＬ  ｉｎ  Ｄ５ＮＳ（５％のブドウ糖と塩化ナトリウムの中に塩化カリウムが入った注射薬）；ＫＣＬ  ｉｎ  Ｄ５Ｗ；ＫＣＬ  ｉｎ  ＮＳ；ケナログ１０注射薬（トリアムシノロンアセトニド懸濁注射液）；ケピバンス（パリフェルミン）；ケプラ注射薬（レベチラセタム）；ケラチノサイト；ＫＦＧ；キナーゼ阻害薬；Ｋｉｎｅｒｅｔ（アナキンラ）；Ｋｉｎｌｙｔｉｃ（ウロキナーゼ注射薬）；Ｋｉｎｒｉｘ；クロノピン（クロナゼパム）；カイトリル注射薬（グラニセトロン塩酸塩）；ラコサミド錠及び注射薬（ビンパット）；乳酸リンゲル液；ラノキシン注射薬（ジゴキシン注射薬）；注射用ランソプラゾール（プレバシドＩ．Ｖ．）；ランタス；ロイコボリンカルシウム（ロイコボリンカルシウム注射薬）；レンテ（Ｌ）；レプチン；レベミル；リューカインサルグラモスチム；ロイプロリド酢酸塩；レボチロキシン；レベチラセタム（ケプラ注射薬）；ラブノックス；レボカルニチン注射薬（Ｃａｒｎｉｔｏｒ注射薬）；レキスキャン（レガデノソン注射薬）；リオレサール髄注（バクロフェ��注射薬）；リラグルチド［ｒＤＮＡ］注射薬（ビクトーザ）；ラブノックス（エノキサパリンナトリウム注射薬）；ルセンティス（ラニビズマブ注射薬）；Ｌｕｍｉｚｙｍｅ；ルプロン（ロイプロリド酢酸塩注射薬）；Ｌｕｓｅｄｒａ（ホスプロポフォール二ナトリウム注射薬）；Ｍａｃｉ；マグネシウム硫酸塩（マグネシウム硫酸塩注射薬）；マンニトール注射薬（マンニトールＩＶ）；マーカイン（ブピバカイン塩酸塩及びエピネフリン注射薬）；マキシピーム（注射用セフェピム塩酸塩）；テクネチウム注射薬のＭＤＰ多用量キット（テクネチウムＴｃ９９ｍメドロナート注射薬）；メカセルミン［ｒＤＮＡ由来］注射薬（Ｉｎｃｒｅｌｅｘ）；メカセルミンリンファバート［ｒＤＮＡ由来］注射薬（Ｉｐｌｅｘ）；メルファランＨｃｌ注射薬（アルケラン注射薬）；メトトレキサート；メナクトラ；Ｍｅｎｏｐｕｒ（メノトロピンス注射薬）；注射用メノトロピンス（Ｒｅｐｒｏｎｅｘ）；注射用メトヘキシタールナトリウム（ブレビタールナトリウム）；メチルドーパート塩酸塩注射薬、溶液（メチルドーパートＨｃｌ）；メチレンブルー（メチレンブルー注射薬）；酢酸メチルプレドニゾロン懸濁注射液（デポメドロール）；ＭｅｔＭａｂ；メトクロプラミド注射薬（Ｒｅｇｌａｎ注射薬）；メトロジン（注射用ウロホリトロピン）；メトロニダゾール注射薬（フラジール注射薬）；ミアカルシン；ミダゾラム（ミダゾラム注射薬）；ミンパラ（シナカレト）；ミノシン注射薬（ミノサイクリン注射薬）；ミノサイクリン注射薬（ミノシン注射薬）；ミポメルセン；ミトキサントロン注射用濃縮液（ノバントロン）；モルヒネ注射薬（Ｄｕｒａｍｏｒｐｈ）；モルヒネ硫酸塩ＸＲリポソーム注射薬（デポデュール）；モルイン酸ナトリウム（モルイン酸ナトリウム注射薬）；モテサニブ；モゾビル（プレリキサフォル注射薬）；Ｍｕｌｔｉｈａｎｃｅ（ガドベン酸メグルミン注射薬）；複合電解質及びブドウ糖注射薬；複合電解質注射薬；マイロターグ（注射用ゲムツズマブオゾガマイシン）；マイオザイム（アルグルコシダーゼアルファ）；ナフシリン注射薬（ナフシリンナトリウム）；ナフシリンナトリウム（ナフシリン注射薬）；ナルトレキソンＸＲ注射薬（ビビトロル）；ナプロシン（ナプロキセン）；ＮｅｏＰｒｏｆｅｎ（イブプロフェンリシン注射薬）；デカン酸ナンドロール；ネオスチグミンメチル硫酸塩（ネオスチグミンメチル硫酸塩注射薬）；ＮＥＯ−ＧＡＡ；ＮｅｏＴｅｃｔ（テクネチウムＴｃ９９ｍデプレオチド注射薬）；Ｎｅｐｈｒａｍｉｎｅ（必須アミノ酸注射薬）；Ｎｅｕｌａｓｔａ（ペグフィルグラスチム）；Ｎｅｕｐｏｇｅｎ（フィルグラスチム）；ノボリン；ノボログ；ＮｅｏＲｅｃｏｒｍｏｎ；Ｎｅｕｔｒｅｘｉｎ（グルコン酸トリメトレキサート注射薬）；ＮＰＨ（Ｎ）；Ｎｅｘｔｅｒｏｎｅ（アミオダロンＨＣｌ注射薬）；ノルディトロピン（ソマトロピン注射薬）；生理食塩水（塩化ナトリウム注射薬）；ノバントロン（ミトキサントロン注射用濃縮液）；ノボリン７０／３０イノレット（７０％ＮＰＨ、ヒトインスリンイソフェン懸濁液及び３０％レギュラー、ヒトインスリン注射薬）；ノボログ（インスリンアスパルト［ｒＤＮＡ由来］注射薬）；Ｎｐｌａｔｅ（ロミ��ロスチム）；ニュートロピン（注射用ソマトロピン（ｒＤＮＡ由来））；ニュートロピンＡＱ；ニュートロピンデポ（注射用ソマトロピン（ｒＤＮＡ由来））；オクトレオチド酢酸塩注射薬（サンドスタチンＬＡＲ）；オクレリズマブ；オファツムマブ注射薬（アーゼラ）；徐放性オランザピン懸濁注射液（Ｚｙｐｒｅｘａ  Ｒｅｌｐｒｅｖｖ）；オムニターグ；オムニトロープ（ソマトロピン［ｒＤＮＡ由来］注射薬）；オンダンセトロン塩酸塩注射薬（ゾフラン注射薬）；ＯｐｔｉＭＡＲＫ（カドベルセタミド注射薬）；オプチレイ注射薬（イオベルソール注射薬）；オレンシア；Ａｖｉｖａ中のＯｓｍｉｔｒｏｌ注射薬（Ａｖｉｖａプラスチック容器中のマンニトール注射薬）；Ｖｉａｆｌｅｘ中のＯｓｍｉｔｒｏｌ注射薬（Ｖｉａｆｌｅｘプラスチック容器中のマンニトール注射薬）；オステオプロテグリン；Ｏｖｉｄｒｅｌ（絨毛性ゴナドトロピンアルファ注射薬）；オキサシリン（注射用オキサシリン）；オキサリプラチン注射薬（エロキサチン）；オキシトシン注射薬（ピトシン）；パリペリドンパルミチン酸エステル徐放性懸濁注射液（Ｉｎｖｅｇａ  Ｓｕｓｔｅｎｎａ）；パミドロン酸二ナトリウム注射薬（パミドロン酸二ナトリウム注射薬）；静注用パニツムマブ（ベクティビックス）；パパベリン塩酸塩注射薬（パパベリン注射薬）；パパベリン注射薬（パパベリン塩酸塩注射薬）；副甲状腺ホルモン；パリカルシトール注射薬フリップトップ型バイアル（Ｚｅｍｐｌａｒ注射薬）；ＰＡＲＰ阻害薬；Ｐｅｄｉａｒｉｘ；ペグイントロン；ペグインターフェロン；ペグフィルグラスチム；ペニシリンＧベンザチン及びペニシリンＧプロカイン；ペンテト酸カルシウム三ナトリウム注射薬（Ｃａ−ＤＴＰＡ）；ペンテト酸亜鉛三ナトリウム注射薬（Ｚｎ−ＤＴＰＡ）；ペプシド注射薬（ファモチジン注射薬）；Ｐｅｒｇｏｎａｌ；ペルツズマブ；メシル酸フェントールアミン（注射用メシル酸フェントールアミン）；サリチル酸フィゾスチグミン（サリチル酸フィゾスチグミン（注射薬））；サリチル酸フィゾスチグミン（注射薬）（サリチル酸フィゾスチグミン）；ピペラシリン及びタゾバクタム注射薬（ゾシン）；ピトシン（オキシトシン注射薬）；Ｐｌａｓｍａ−Ｌｙｔｅ  １４８（複合電解質注射薬）；Ｐｌａｓｍａ−Ｌｙｔｅ  ５６及びブドウ糖（Ｖｉａｆｌｅｘプラスチック容器中の複合電解質及びブドウ糖注射薬）；ＰｌａｓｍａＬｙｔｅ；プレリキサフォル注射薬（モゾビル）；ポリドカノール注射薬（Ａｓｃｌｅｒａ）；塩化カリウム；静注用プララトレキサート溶液（フォロチン）；酢酸プラムリンタイド注射薬（Ｓｙｍｌｉｎ）；プレマリン注射薬（注射用結合型エストロゲン）；注射用テクネチウムＴｃ９９セスタミビ調製キット（カーディオライト）；プレバシドＩ．Ｖ．（注射用ランソプラゾール）；プリマキシンＩ．Ｖ．（注射用イミペネム及びシラスタチン）；Ｐｒｏｃｈｙｍａｌ；プロクリット；黄体ホルモン；プロハンス（ガドテリドール注射薬溶液）；プロリア（デノスマブ注射薬）；プロメタジンＨＣｌ注射薬（プロメタジン塩酸塩注射薬）；プロプラノロール塩酸塩注射薬（Ｐｒｏｐｒａｎｏｌｏｌ塩酸塩注射薬）；グルコン酸キニジン注射薬（キニジン注射薬）；キニジン注射薬（グルコン酸キニジン注射薬）；Ｒ−Ｇｅｎｅ  １０（アルギニン塩酸塩注射薬）；ラニビズマブ注射薬（ルセンティス）；ラニチジン塩酸塩注射薬（ザンタック注射薬）；ラプティバ；リクラスト（ゾレドロン酸注射薬）；Ｒｅｃｏｍｂｉｖａｒｉｘ  ＨＢ；レガデノソン注射薬（レキスキャン）；Ｒｅｇｌａｎ注射薬（メトクロプラミド注射薬）；レミケード；レナジェル；Ｒｅｎｖｅｌａ（セベラマー炭酸塩）；Ｒｅｐｒｏｎｅｘ（注射用メノトロピンス）；レトロビルＩＶ（ジドブジン注射薬）；ｒｈＡｐｏ２Ｌ／ＴＲＡＩＬ；リンゲル及び５％ブドウ糖注射薬（ブドウ糖含有リンゲル液）；リンゲル注射薬（リンゲル液）；リツキサン；リツキシマブ；ロセフィン（セフトリアキソン）；ロクロニウム臭化物注射薬（ゼムロン）；ロフェロン−Ａ（インターフェロンアルファ−２ａ）；Ｒｏｍａｚｉｃｏｎ（フルマゼニル）；注射用ロミデプシン（Ｉｓｔｏｄａｘ）；サイゼン（ソマトロピン注射薬）；サンドスタチンＬＡＲ（オクトレオチド酢酸塩注射薬）；スクレロスチンＡｂ；センシパー（シナカルセト）；Ｓｅｎｓｏｒｃａｉｎｅ（ブピバカインＨＣｌ注射薬）；セプトカイン（アルチカインＨＣｌ及びエピネフリン注射薬）；Ｓｅｒｏｓｔｉｍ  ＬＱ（ソマトロピン（ｒＤＮＡ由来）注射薬）；シンポニー注射薬（ゴリムマブ注射薬）；酢酸ナトリウム（酢酸ナトリウム注射薬）；炭酸水素ナトリウム（炭酸水素ナトリウム５％注射薬）；乳酸ナトリウム（ＡＶＩＶＡ中の乳酸ナトリウム注射薬）；フェニル酢酸ナトリウム及び安息香酸ナトリウム注射薬（Ａｍｍｏｎｕｌ）；注射用ソマトロピン（ｒＤＮＡ由来）（ニュートロピン）；スポラノックス注射薬（イトラコナゾール注射薬）；ステラーラ注射薬（ウステキヌマブ）；Ｓｔｅｍｇｅｎ；スフェンタ（クエン酸スフェンタニル注射薬）；クエン酸スフェンタニル注射薬（スフェンタ）；Ｓｕｍａｖｅｌ；スマトリプタン注射薬（Ａｌｓｕｍａ）；Ｓｙｍｌｉｎ；Ｓｙｍｌｉｎ  Ｐｅｎ；全身性ヘッジホッグ拮抗薬；シンビスク−ワン（Ｈｙｌａｎ  Ｇ−Ｆ  ２０単回関節内注射薬）；タルセバ；タキソテール（注射用ドセタキセル）；テクネチウムＴｃ９９ｍ；注射用テラバンシン（ヴィバティブ）；テムシロリムス注射薬（トーリセル）；テノーミンＩ．Ｖ．注射薬（アテノロール注射薬）；テリパラチド（ｒＤＮＡ由来）注射薬（フォルテオ）；テストステロンシピオネー
ト；テストステロンエナント酸エステル；テストステロンプロピオン酸エステル；Ｔｅｖ−Ｔｒｏｐｉｎ（ソマトロピン、ｒＤＮＡ由来、注射用）；ｔｇＡＡＣ９４；塩化タリウム；テオフィリン；チオテパ（チオテパ注射薬）；サイモグロブリン（抗胸腺細胞免疫グロブリン（ウサギ）；タイロゲン（注射用チロトロピンアルファ）；チカルシリンジナトリウム及びクラブラン酸カリウムギャラクシー（チメンチン注射薬）；Ｔｉｇａｎ注射薬（注射用トリメトベンズアミド塩酸塩）；チメンチン注射薬（チカルシリンジナトリウム及びクラブラン酸カリウムギャラクシー）；ＴＮＫａｓｅ；トブラマイシン注射薬（トブラマイシン注射薬）；トシリズマブ注射薬（アクテムラ）；トーリセル（テムシロリムス注射薬）；Ｔｏｔｅｃｔ（注射用デキスラゾキサン、静注のみ）；トラスツズマブ−ＤＭ１；Ｔｒａｖａｓｏｌ（アミノ酸（注射薬））；トレアンダ（ベンダムスチン塩酸塩注射薬）；トレルスター（懸濁注射液用トリプトレリンパモエート）；トリアムシノロンアセトニド；トリアムシノロンジアセテート；トリアムシノロンヘキサアセトニド懸濁注射液（アリストスパン注射薬２０ｍｇ）；Ｔｒｉｅｓｅｎｃｅ（トリアムシノロンアセトニド懸濁注射液）；注射用トリメトベンズアミド塩酸塩（Ｔｉｇａｎ注射薬）；グルコン酸トリメトレキサート注射薬（Ｎｅｕｔｒｅｘｉｎ）；懸濁注射液用トリプトレリンパモエート（トレルスター）；Ｔｗｉｎｊｅｃｔ；Ｔｒｉｖａｒｉｓ（トリアムシノロンアセトニド懸濁注射液；トリセノックス（三酸化ヒ素注射薬）；Ｔｗｉｎｒｉｘ；Ｔｙｐｈｏｉｄ  Ｖｉ；Ｕｌｔｒａｖｉｓｔ（イオプロミド注射薬）；注射用ウロホリトロピン（Ｍｅｔｒｏｄｉｎ）；ウロキナーゼ注射薬（Ｋｉｎｌｙｔｉｃ）；ウステキヌマブ（ステラーラ注射薬）；ウルトラレンテ（Ｕ）；バリウム（ジアゼパム）；バルプロ酸ナトリウム注射薬（Ｄｅｐａｃｏｎ）；Ｖａｌｔｒｏｐｉｎ（ソマトロピン注射薬）；バンコマイシン塩酸塩（バンコマイシン塩酸塩注射薬）；バンコマイシン塩酸塩注射薬（バンコマイシン塩酸塩）；バプリゾール（コニバプタンＨｃｌ注射薬）；ＶＡＱＴＡ；バソビスト（ガドホスベセット三ナトリウム注射薬静注用）；ベクティビックス（パニツムマブ注射薬静注用）；ヴェノファー（含糖酸化鉄注射薬）；ベルテポルフィン注射薬（ビスダイン）；ヴィバティブ（注射用テラバンシン）；ビクトーザ（リラグルチド［ｒＤＮＡ］注射薬）；ビンパット（ラコサミド錠及び注射薬）；ビンブラスチン硫酸塩（ビンブラスチン硫酸塩注射薬）；Ｖｉｎｃａｓａｒ  ＰＦＳ（ビンクリスチン硫酸塩注射薬）；ビクトーザ；ビンクリスチン硫酸塩（ビンクリスチン硫酸塩注射薬）；ビスダイン（ベルテポルフィン注射薬）；ビタミンＢ−１２；ビビトロル（ナルトレキソンＸＲ注射薬）；ボルベン（塩化ナトリウム中のヒドロキシエチルデンプン注射薬）；ゼローダ；ゼニカル（オルリスタット）；Ｘｅｏｍｉｎ（注射用インコボツリナムトキシンＡ）；ゾレア；ザンタック注射薬（ラニチジン塩酸塩注射薬）；Ｚｅｍｐｌａｒ注射薬（パリカルシトール注射薬フリップトップ型バイアル）；Ｚｅｍｕｒｏｎ（ロクロニウム臭化物注射薬）；ゼナパックス（ダクリズマブ）��ゼバリン；ジドブジン注射薬（レトロビルＩＶ）；ジスロマック注射薬（アジスロマイシン）；Ｚｎ−ＤＴＰＡ（ペンテト酸亜鉛三ナトリウム注射薬）；ゾフラン注射薬（オンダンセトロン塩酸塩注射薬）；Ｚｉｎｇｏ；注射用ゾレドロン酸（ゾメタ）；ゾレドロン酸注射薬（リクラスト）；ゾメタ（注射用ゾレドロン酸）；ゾシン（ピペラシリン及びタゾバクタム注射薬）；Ｚｙｐｒｅｘａ  Ｒｅｌｐｒｅｖｖ（徐放性オランザピン懸濁注射液）。
【００７０】
液剤（非注射用）
エビリファイ；ＡｃｃｕＮｅｂ（アルブテロール硫酸塩吸入液）；Ａｃｔｉｄｏｓｅ  Ａｑｕａ（活性炭懸濁液）；活性炭懸濁液（Ａｃｔｉｄｏｓｅ  Ａｑｕａ）；アドベア；Ａｇｅｎｅｒａｓｅ経口液（アンプレナビル経口液）；Ａｋｔｅｎ（リドカイン塩酸塩眼科用ゲル）；Ａｌａｍａｓｔ（ペミロラストカリウム点眼液）；アルブミン（ヒト）５％溶液（ブミネート５％）；アルブテロール硫酸塩吸入液；Ａｌｉｎｉａ；Ａｌｏｃｒｉｌ；アルファガン；Ａｌｒｅｘ；オルベスコ；アンプレナビル経口液；Ａｎａｌｐｒａｍ−ＨＣ；アルフォルモテロール酒石酸塩吸入液（Ｂｒｏｖａｎａ）；アリストスパン注射薬２０ｍｇ（トリアムシノロンヘキサアセトニド懸濁注射液）；アサコール；アズマネックス；Ａｓｔｅｐｒｏ；Ａｓｔｅｐｒｏ（アゼラスチン塩酸塩点鼻薬）；アトロベント点鼻薬（臭化イプラトロピウム点鼻薬）；アトロベント点鼻薬．０６；オーグメンチンＥＳ−６００；Ａｚａｓｉｔｅ（アジスロマイシン点眼液）；アゼライン酸（フィナシアゲル）；アゼラスチン塩酸塩点鼻薬（Ａｓｔｅｐｒｏ）；Ａｚｅｌｅｘ（アゼライン酸クリーム）；エイゾプト（ブリンゾラミド懸濁性点眼液）；静菌生理食塩水；平衡塩；ベポタスチン；バクトロバン鼻腔用；バクトロバン；Ｂｅｃｌｏｖｅｎｔ；ベンザックＷ；Ｂｅｔｉｍｏｌ；Ｂｅｔｏｐｔｉｃ  Ｓ；Ｂｅｐｒｅｖｅ；ビマトプロスト点眼液；Ｂｌｅｐｈ  １０（スルファセタミドナトリウム点眼液１０％）；ブリンゾラミド懸濁点眼液（エイゾプト）；ブロムフェナク点眼液（Ｘｉｂｒｏｍ）；Ｂｒｏｍｈｉｓｔ；Ｂｒｏｖａｎａ（アルフォルモテロール酒石酸塩吸入液）；ブデソニド吸入用懸濁液（Ｐｕｌｍｉｃｏｒｔ  Ｒｅｓｐｕｌｅｓ）；Ｃａｍｂｉａ（経口液用ジクロフェナクカリウム）；Ｃａｐｅｘ；Ｃａｒａｃ；Ｃａｒｂｏｘｉｎｅ−ＰＳＥ；Ｃａｒｎｉｔｏｒ；Ｃａｙｓｔｏｎ（吸入液用アズトレオナム）；セルセプト；Ｃｅｎｔａｎｙ；Ｃｅｒｕｍｅｎｅｘ；Ｃｉｌｏｘａｎ点眼液（シプロフロキサシンＨＣＬ点眼液）；Ｃｉｐｒｏｄｅｘ；シプロフロキサシンＨＣＬ点眼液（Ｃｉｌｏｘａｎ点眼液）；クレマスチンフマル酸塩シロップ（Ｃｌｅｍａｓｔｉｎｅ  Ｆｕｍａｒａｔｅシロップ）；ＣｏＬｙｔｅ（ＰＥＧ電解質溶液）；Ｃｏｍｂｉｖｅｎ；コムタン；Ｃｏｎｄｙｌｏｘ；Ｃｏｒｄｒａｎ；Ｃｏｒｔｉｓｐｏｒｉｎ懸濁性点眼液；Ｃｏｒｔｉｓｐｏｒｉｎ耳科用懸濁液；クロモリンナトリウム吸入液（Ｉｎｔａｌ  Ｎｅｂｕｌｉｚｅｒ溶液）；クロモリンナトリウム点眼液（Ｏｐｔｉｃｒｏｍ）；電解質含有結晶性アミノ酸溶液（Ａｍｉｎｏｓｙｎ電解質）；Ｃｕｔｉｖａｔｅ；Ｃｕｖｐｏｓａ（グリコピロレート経口液）；シアノコバラミン（ＣａｌｏＭｉｓｔ点鼻薬）；シクロスポリン経口液（Ｇｅｎｇｒａｆ経口液）；サイクロジル；Ｃｙｓｖｉｅｗ（ヘキサミノレブリナート塩酸塩膀胱内用溶液）；ＤｅｒｍＯｔｉｃオイル（フルオシノロンアセトニドオイル点耳薬）；デスモプレシン酢酸塩点鼻薬；ＤＤＡＶＰ；Ｄｅｒｍａ−Ｓｍｏｏｔｈｅ／ＦＳ；デキサメタゾンインテンソール；ダイアニール低カルシウム；ダイアニールＰＤ；経口液用ジクロフェナクカリウム（Ｃａｍｂｉａ）；ジダノシン小児用粉末経口液用（ヴ���イデックス）；ディフェリン；ディランチン１２５（フェニトイン経口懸濁液）；Ｄｉｔｒｏｐａｎ；ドルゾラミド塩酸塩点眼液（トルソプト）；ドルゾラミド塩酸塩−チモロールマレイン酸塩点眼液（コソプト）；ドボネックススカルプ（カルシポトリエン溶液）；ドキシサイクリンカルシウム経口懸濁液（ビブラマイシン経口用）；Ｅｆｕｄｅｘ；エラプレース（イデュルスルファーゼ溶液）；Ｅｌｅｓｔａｔ（エピナスチンＨＣｌ点眼液）；Ｅｌｏｃｏｎ；エピナスチンＨＣｌ点眼液（Ｅｌｅｓｔａｔ）；エピビルＨＢＶ；エポゲン（エポエチンアルファ）；エリスロマイシン局所用液１．５％（Ｓｔａｔｉｃｉｎ）；エチオドール（Ｅｔｈｉｏｄｉｚｅｄ  Ｏｉｌ）；エトスクシミド経口液（ザロンチン経口液）；オイラックス；Ｅｘｔｒａｎｅａｌ（イコデキストリン腹膜透析液）；Ｆｅｌｂａｔｏｌ；フェリデックスＩ．Ｖ．（フェルモキシデス注射用溶液）；Ｆｌｏｖｅｎｔ；フロキシン耳科用薬（オフロキサシン耳科用液）；Ｆｌｏ−Ｐｒｅｄ（プレドニゾロン酢酸エステル経口懸濁液）；Ｆｌｕｏｐｌｅｘ；フルニソリド点鼻液（フルニソリド点鼻用スプレー．０２５％）；フルオロメトロン懸濁性点眼液（ＦＭＬ）；フルルビプロフェンナトリウム点眼液（Ｏｃｕｆｅｎ）；ＦＭＬ；Ｆｏｒａｄｉｌ；フマル酸ホルモテロール吸入液（Ｐｅｒｆｏｒｏｍｉｓｔ）；フォサマックス；フラダンチン（ニトロフラントイン経口懸濁液）；フロキソン；ガンマガード液（静注用免疫グロブリン（ヒト）１０％）；ガントリシン（アセチルスルフイソキサゾール小児用懸濁液）；ガチフロキサシン点眼液（Ｚｙｍａｒ）；Ｇｅｎｇｒａｆ経口液（シクロスポリン経口液）；グリコピロレート経口液（Ｃｕｖｐｏｓａ）；ハルシノニド局所用液（Ｈａｌｏｇ溶液）；Ｈａｌｏｇ溶液（ハルシノニド局所用液）；ＨＥＰ−ＬＯＣＫ  Ｕ／Ｐ（防腐剤無添加ヘパリンロックフラッシュ液）；ヘパリンロックフラッシュ液（Ｈｅｐｆｌｕｓｈ１０）；ヘキサミノレブリネート塩酸塩膀胱内溶液（Ｃｙｓｖｉｅｗ）；酒石酸水素ヒドロコドン及びアセトアミノフェン経口液（Ｌｏｒｔａｂ  Ｅｌｉｘｉｒ）；ヒドロキノン３％局所用液（Ｍｅｌｑｕｉｎ−３局所用液）；ＩＡＰ拮抗薬；Ｉｓｏｐｔｏ；臭化イプラトロピウム点鼻薬（アトロベント点鼻薬）；イトラコナゾール経口液（スポラノックス経口液）；ケトロラクトロメタミン点眼液（Ａｃｕｌａｒ  ＬＳ）；カレトラ；ラノキシン；レクシヴァ；デポ懸濁液用ロイプロリド酢酸塩（ルプロンデポ１１．２５ｍｇ）；レボベタキソロール塩酸塩懸濁性点眼液（ベタキソン）；レボカルニチン錠、経口液、無糖（Ｃａｒｎｉｔｏｒ）；レボフロキサシン点眼液０．５％（Ｑｕｉｘｉｎ）；リドカインＨＣｌ滅菌液（キシロカインＭＰＦ滅菌液）；Ｌｏｋ  Ｐａｋ（ヘパリンロックフラッシュ液）；Ｌｏｒａｚｅｐａｍ  Ｉｎｔｅｎｓｏｌ；Ｌｏｒｔａｂ  Ｅｌｉｘｉｒ（酒石酸水素ヒドロコドン及びアセトアミノフェン経口液）；Ｌｏｔｅｍａｘ（エタボン酸ロテプレドノール懸濁点眼液）；エタボン酸ロテプレドノール懸濁点眼液（Ａｌｒｅｘ）；低カルシウム腹膜透析溶液（ダイアニール低カルシウム）；ルミガン（緑内障用ビマトプロスト点眼液０．０３％）；ルプロンデ��１１．２５ｍｇ（デポ懸濁液用ロイプロリド酢酸塩）；メゲストロール酢酸塩経口懸濁液（メゲストロール酢酸塩経口懸濁液）；ＭＥＫ阻害薬；Ｍｅｐｒｏｎ；Ｍｅｓｎｅｘ；メスチノン；メサラミン注腸剤（Ｒｏｗａｓａ）；Ｍｅｌｑｕｉｎ−３局所用液（ヒドロキノン３％局所用液）；ＭｅｔＭａｂ；メチルドーパートＨｃｌ（メチルドーパート塩酸塩注射薬、溶液）；Ｍｅｔｈｙｌｉｎ経口液（メチルフェニデートＨＣｌ経口液５ｍｇ／５ｍＬ及び１０ｍｇ／５ｍＬ）；酢酸メチルプレドニゾロン懸濁注射液（デポメドロール）；メチルフェニデートＨＣｌ経口液５ｍｇ／５ｍＬ及び１０ｍｇ／５ｍＬ（Ｍｅｔｈｙｌｉｎ経口液）；コハク酸メチルプレドニゾロンナトリウム（ソルメドロール）；メチプラノロール点眼液（Ｏｐｔｉｐｒａｎｏｌｏｌ）；Ｍｉｇｒａｎａｌ；Ｍｉｏｃｈｏｌ−Ｅ（アセチルコリン塩化物眼内溶液）；液体懸濁液用Ｍｉｃｒｏ−Ｋ（液体懸濁液用塩化カリウム徐放製剤）；ミノシン（ミノサイクリン塩酸塩経口懸濁液）；ナサコート；ネオマイシン硫酸塩及びポリミキシンＢ硫酸塩及びヒドロコルチゾン；ネパフェナク懸濁点眼液（ネバナック）；ネバナック（ネパフェナク懸濁点眼液）；ニトロフラントイン経口懸濁液（フラダンチン）；Ｎｏｘａｆｉｌ（ポサコナゾール経口懸濁液）；ニスタチン（経口）（ニスタチン経口懸濁液）；ニスタチン経口懸濁液（ニスタチン（経口））；Ｏｃｕｆｅｎ（フルルビプロフェンナトリウム点眼液）；オフロキサシン点眼液（オフロキサシン点眼液）；オフロキサシン耳科用液（フロキシン耳科用薬）；オロパタジン塩酸塩点眼液（Ｐａｔａｄａｙ）；Ｏｐｔｉｃｒｏｍ（クロモリンナトリウム点眼液）；Ｏｐｔｉｐｒａｎｏｌｏｌ（メチプラノロール点眼液）；パタノール；Ｐｅｄｉａｐｒｅｄ；ＰｅｒｉｏＧａｒｄ；フェニトイン経口懸濁液（ディランチン１２５）；Ｐｈｉｓｏｈｅｘ；ポサコナゾール経口懸濁液（Ｎｏｘａｆｉｌ）；液体懸濁液用塩化カリウム徐放製剤（液体懸濁液用Ｍｉｃｒｏ−Ｋ）；Ｐａｔａｄａｙ（オロパタジン塩酸塩点眼液）；Ｐａｔａｎａｓｅ点鼻薬（オロパタジン塩酸塩点鼻薬）；ＰＥＧ電解質溶液（ＣｏＬｙｔｅ）；ペミロラストカリウム点眼液（Ａｌａｍａｓｔ）；Ｐｅｎｌａｃ（シクロピロクス局所用液）；ＰＥＮＮＳＡＩＤジクロフェナクナトリウム局所用液）；Ｐｅｒｆｏｒｏｍｉｓｔ（フマル酸ホルモテロール吸入液）；腹膜透析溶液；フェニレフリン塩酸塩点眼液（ネオシネフリン）；ヨウ化ホスホリン（点眼液用ヨウ化エコチオフェート）；ポドフィロックス（ポドフィロックス局所用液）；Ｐｒｅｄ  Ｆｏｒｔｅ（プレドニゾロン酢酸エステル懸濁点眼液）；静注用プララトレキサート溶液（フォロチン）；Ｐｒｅｄ  Ｍｉｌｄ；プレドニゾンインテンソール；プレドニゾロン酢酸エステル懸濁性点眼液（Ｐｒｅｄ  Ｆｏｒｔｅ）；プレバシド；ＰｒｉｓｍａＳｏｌ溶液（滅菌血液濾過血液透析濾過溶液）；プロエアー；プログリセム；プロハンス（ガドテリドール注射薬溶液）；プロパラカイン塩酸塩点眼液（Ａｌｃａｉｎｅ）；プロパイン；パルミコート；プルモザイム；Ｑｕｉｘｉｎ（レボフロキサシン点眼液０．５％）；ＱＶＡＲ；ラパミューン；レベトール；Ｒｅｌａｃｏｎ−ＨＣ；��タリックス（経口生ロタウイルスワクチン懸濁液）；経口生ロタウイルスワクチン懸濁液（ロタリックス）；Ｒｏｗａｓａ（メサラミン注腸剤）；サブリル（ビガバトリン経口液）；サクロシダーゼ経口液（Ｓｕｃｒａｉｄ）；サンディミュン；Ｓｅｐｒａ；Ｓｅｒｅｖｅｎｔ  Ｄｉｓｋｕｓ；ソルコーテフ（ヒドロコルチゾンコハク酸エステルナトリウム）；ソルメドロール（コハク酸メチルプレドニゾロンナトリウム）；スピリーバ；スポラノックス経口液（イトラコナゾール経口液）；Ｓｔａｔｉｃｉｎ（エリスロマイシン局所用液１．５％）；スタレボ；Ｓｔａｒｌｉｘ；滅菌血液濾過血液透析濾過溶液（ＰｒｉｓｍａＳｏｌ溶液）；Ｓｔｉｍａｔｅ；スクラルファート（カラファート懸濁液）；スルファセタミドナトリウム点眼液１０％（Ｂｌｅｐｈ  １０）；Ｓｙｎａｒｅｌ点鼻液（子宮内膜症用酢酸ナファレリン点鼻液）；Ｔａｃｌｏｎｅｘ  Ｓｃａｌｐ（カルシポトリエン及びジプロピオン酸ベタメタゾン局所用懸濁液）；タミフル；トービイ；ＴｏｂｒａＤｅｘ；Ｔｏｂｒａｄｅｘ  ＳＴ（トブラマイシン／デキサメサゾン懸濁性点眼液０．３％／０．０５％）；トブラマイシン／デキサメサゾン懸濁性点眼液０．３％／０．０５％（Ｔｏｂｒａｄｅｘ  ＳＴ）；チモロール；Ｔｉｍｏｐｔｉｃ；トラバタン  Ｚ；トレプロスチニル吸入液（Ｔｙｖａｓｏ）；トルソプト（ドルゾラミド塩酸塩点眼液）；Ｔｙｖａｓｏ（トレプロスチニル吸入液）；ベントリン；ブイフェンド；ビブラマイシン経口用（ドキシサイクリンカルシウム経口懸濁液；ヴァイデックス（ジダノシン小児用粉末経口液用）；ビガバトリン経口液（サブリル）；Ｖｉｏｋａｓｅ；ビラセプト；ビラミューン；ビタミンＫ１（ビタミンＫ１の流体コロイド溶液）；ボルタレン眼科用（ジクロフェナクナトリウム点眼液）；ザロンチン経口液（エトスクシミド経口液）；ザイアジェン；ザイボックス；Ｚｙｍａｒ（ガチフロキサシン点眼液）；Ｚｙｍａｘｉｄ（ガチフロキサシン点眼液）。
【００７１】
薬物の分類
５−アルファ−還元酵素阻害薬；５−アミノサリチル酸塩；５ＨＴ３受容体拮抗薬；アダマンタン抗ウイルス薬；副腎皮質ステロイド；副腎皮質ホルモン阻害薬；アドレナリン作動性気管支拡張薬；高血圧性緊急疾患用薬剤；肺高血圧症用薬剤；アルドステロン受容体拮抗薬；アルキル化剤；アルファ−アドレナリン受容体拮抗薬；アルファ−グルコシダーゼ阻害薬；代替薬；殺アメーバ剤；アミノグリコシド；アミノペニシリン；アミノサリチル酸塩；アミリン類似体；鎮痛配合剤；鎮痛薬；アンドロゲン及びアナボリックステロイド；アンジオテンシン変換酵素阻害薬；アンジオテンシンＩＩ阻害薬；肛門直腸製剤；食欲抑制剤；制酸剤；駆虫剤；抗血管原性眼科用剤；抗−ＣＴＬＡ−４モノクローナル抗体；抗感染症薬；抗アドレナリン作用薬、中枢作用型；抗アドレナリン作用薬、抹消作用型；抗アンドロゲン薬；抗狭心症薬；抗不整脈薬；抗喘息配合剤；抗生剤／抗腫瘍薬；抗コリン性制吐薬；抗コリン性抗パーキンソン薬；抗コリン性気管支拡張薬；抗コリン性変時薬；抗コリン作動薬／鎮痙薬；凝固防止剤；抗痙攣薬；抗うつ薬；抗糖尿病薬；抗糖尿病配合剤；止瀉薬；抗利尿ホルモン；解毒剤；制吐薬／抗暈眩薬；抗真菌薬；抗ゴナドトロピン薬；痛風治療薬；抗ヒスタミン薬；抗高脂血症剤；抗高脂血症配合剤；降圧配合剤；尿酸降下薬；抗マラリア薬；抗マラリア配合剤；抗マラリア薬キノリン；代謝拮抗薬；抗片頭痛薬；抗腫瘍解毒剤；抗腫瘍インターフェロン；抗腫瘍モノクローナル抗体；抗腫瘍薬；抗パーキンソン薬；抗血小板薬；抗緑膿菌ペニシリン；抗乾癬薬；抗精神病薬；抗リウマチ薬；防腐剤及び殺菌剤；抗甲状腺薬；抗毒素及び抗蛇毒素；抗結核薬；抗結核薬配合剤；鎮咳薬；抗ウイルス薬；抗ウイルス配合剤；抗ウイルスインターフェロン；抗不安薬、鎮静薬、及び催眠薬；アロマターゼ阻害薬；非定型抗精神病薬；アゾール抗真菌薬；細菌性ワクチン；バルビツール酸系抗痙攣薬；バルビツール酸塩；ＢＣＲ−ＡＢＬチロシンキナーゼ阻害薬；ベンゾジアゼピン系抗痙攣薬；ベンゾジアゼピン；β−アドレナリン遮断薬；β−ラクタマーゼ阻害薬；胆汁酸抑制薬；生物製剤；ビスホスホネート；骨吸収阻害薬；気管支拡張薬配合剤；気管支拡張薬；カルシトニン；カルシウムチャネル遮断薬；カルバメート系抗痙攣薬；カルバペネム；炭酸脱水酵素阻害抗痙攣薬；炭酸脱水酵素阻害薬；心臓負荷薬；心選択性β遮断薬；心臓血管薬；カテコールアミン；ＣＤ２０モノクローナル抗体；ＣＤ３３モノクローナル抗体；ＣＤ５２モノクローナル抗体；中枢神経系薬；セファロスポリン；耳垢水；キレート剤；ケモカイン受容体拮抗薬；クロライドチャネル活性化剤；コレステロール吸収阻害薬；コリン作動薬；コリン作動性筋刺激剤；コリンエステラーゼ阻害薬；中枢神経刺激薬；凝固調整剤；コロニー刺激因子；避妊薬；コルチコトロピン；クマリン及びインダンジオン；ｃｏｘ−２阻害薬；充血除去剤；皮膚用剤；診断用放射性医薬品；ジベンザゼピン抗痙攣薬；消化酵素；ジペプチジルペプチダーゼ４阻害薬；利尿剤；ドーパミン系抗パーキンソン薬；アルコール依存症に使用される薬剤；エキノカンジン；ＥＧＦＲ阻害薬；エストロゲン受容体拮抗薬；エストロゲン；去痰薬；第Ｘａ因子阻害剤；脂肪酸誘導体抗痙攣薬；フィブリン酸誘導体；第１世代セファロスポリン；第４世代セファロスポリン；機能性腸疾患薬；胆石可溶化薬；γ−アミノ酪酸類似体；γ−アミノ酪酸再取り込み阻害薬；γ−アミノ酪酸トランスアミナーゼ阻害薬；胃腸薬；全身麻酔薬；尿生殖器管薬；ＧＩ刺激薬；グルココルチコイド；グルコース上昇剤；グリコペプチド抗生剤；糖タンパク質血小板阻害薬；グリシルサイクリン；ゴナドトロピン放出ホルモン；ゴナドトロピン放出ホルモン拮抗薬；ゴナドトロピン；Ｉ群抗不整脈薬；ＩＩ群抗不整脈薬；ＩＩＩ群抗不整脈薬；ＩＶ群抗不整脈薬；Ｖ群抗不整脈薬；成長ホルモン受容体遮断薬；成長ホルモン；Ｈ．ピロリ除菌薬；Ｈ２拮抗薬；造血幹細胞動員剤；へパリン拮抗薬；へパリン；ＨＥＲ２阻害薬；植物製品；ヒストン脱アセチル化酵素阻害薬；ホルモン補充療法；ホルモン；ホルモン／抗腫瘍薬；ヒダントイン抗痙攣薬；違法（ストリート）薬物；免疫グロブリン；免疫薬；免疫抑制薬；インポテンス薬；インビボ診断生物製剤；インクレチンミメティクス；吸入抗感染症薬；吸入コルチコステロイド；強心薬；インスリン；インスリン様増殖因子；インテグラーゼ鎖移転阻害薬；インターフェロン；静脈内栄養製品；ヨード造影剤；イオン化ヨード造影剤；鉄製品；ケトライド；緩下薬；抗らい薬；ロイコトリエン調整剤；リンコマイシン誘導体；脂質化グリコペプチド；局所注射麻酔薬；ループ利尿薬；肺表面活性剤；リンパ管染色剤；リソソーム酵素；マクロライド誘導体；マクロライド；磁気共鳴イメージング造影剤；肥満細胞安定化剤；医療用ガス；メグリチニド；代謝薬；メチルキサンチン；ミネラルコルチコイド；ミネラル及び電解質；種々の薬剤；種々の鎮痛薬；種々の抗生剤；種々の抗痙攣薬；種々の抗うつ薬；種々の抗糖尿病薬；種々の制吐剤；種々の抗真菌剤；種々の高脂血症用薬；種々の抗マラリア薬；種々の抗腫瘍薬；種々の抗パーキンソン薬；種々の抗精神病薬；種々の抗結核薬；種々の抗ウイルス薬；種々の抗不安薬、鎮静薬及び催眠薬；種々の生物製剤；種々の骨吸収阻害薬；種々の心血管作動薬；種々の中枢神経系薬；種々の凝固調整剤；種々の利尿薬；種々の尿生殖管薬；種々のＧＩ薬；種々のホルモン；種々の代謝薬；種々の眼科薬；種々の耳科用薬；種々の呼吸薬；種々の性ホルモン；種々の局所薬；種々の未分類薬；種々の腟用薬；有糸分裂阻害薬；モノアミン酸化酵素阻害薬；モノクローナル抗体；口及び咽喉用製品；ｍＴＯＲ阻害薬；ｍＴＯＲキナーゼ阻害薬；粘液溶解薬；マルチキナーゼ阻害薬；筋弛緩薬；散瞳薬；麻薬性鎮痛薬配合剤；麻薬性鎮痛薬；経鼻抗感染症薬；経鼻抗ヒスタミン及び充血除去薬；経鼻潤滑及び洗浄剤；経鼻用製剤；経鼻ステロイド；天然ペニシリン；ノイラミニダーゼ阻害薬；神経筋遮断薬；次世代セファロスポリン；ニコチン酸誘導体；硝酸塩；ＮＮＲＴＩ；非心選択性β遮断薬；非ヨード造影剤；非イオン性ヨード造影剤；非スルホニル尿素；非ステロイド抗炎症薬；ノルエピネフィリン再取り込み阻害薬；ノルエピネフィリン−ドーパミン再取り込み阻害薬；ヌクレオシド逆転写酵素阻害薬（ＮＲＴＩ）；栄養補助食品；栄養製品；眼科用麻酔薬；眼科用抗感染症薬；眼科用抗炎症薬；眼科用抗���スタミン薬及び充血除去薬；眼科用診断薬；眼科用緑内障薬；眼科用潤滑剤及び洗浄剤；眼科用製剤；眼科用ステロイド；抗感染症薬含有眼科用ステロイド；眼科手術用薬；経口栄養補助食；耳科用麻酔薬；耳科用抗感染症薬；耳科用製剤；耳科用ステロイド；抗感染症薬含有耳科用ステロイド；オキサゾリジンジオン系抗痙攣薬；上皮小体ホルモン及び類似体；ペニシリナーゼ耐性ペニシリン；ペニシリン；末梢性オピオイド受容体拮抗薬；末梢血管拡張薬；末梢作用型抗肥満薬；フェノチアジン制吐剤；フェノチアジン抗精神病薬；フェニルピペラジン抗うつ薬；血漿増量剤；血小板凝集阻害薬；血小板刺激剤；ポリエン；カリウム保持性利尿薬；プロバイオティクス；黄体ホルモン受容体調節薬；プロゲスチン；プロラクチン阻害薬；プロスタグランジンＤ２拮抗薬；タンパク分解酵素阻害薬；プロトンポンプ阻害薬；ソラレン；精神治療薬；精神治療薬配合剤；プリンヌクレオシド；ピロリジン抗痙攣薬；キノロン；造影剤；放射線補助剤；放射線剤；放射線結合化剤；放射性医薬品；ＲＡＮＫリガンド阻害薬；遺伝子組換えヒトエリスロポエチン；レニン阻害薬；呼吸薬；呼吸吸入製品；リファマイシン誘導体；サリチル酸塩；硬化剤；第２世代セファロスポリン；選択的エストロゲン受容体調節薬；選択的セロトニン再取り込み阻害薬；セロトニン−ノルエピネフィリン再取り込み阻害薬；セロトニン作動性神経腸調節薬；性ホルモン配合剤；性ホルモン；骨格筋弛緩薬配合剤；骨格筋弛緩薬；禁煙薬；ソマトスタチン及びソマトスタチン類似体；殺精子剤；スタチン；滅菌洗浄溶液；ストレプトマイセス誘導体；スクシンイミド抗痙攣薬；スルホンアミド；スルホニル尿素；合成排卵誘発剤；四環系抗うつ薬；テトラサイクリン；治療用放射性医薬品；チアジド利尿薬；チアゾリジンジオン；チオキサンテン；第３世代セファロスポリン；トロンビン阻害剤；血栓溶解薬；甲状腺剤；子宮収縮抑制薬；局所ニキビ剤；局所薬；局所麻酔薬；局所抗感染症薬；局所抗生剤；局所抗真菌薬；局所抗ヒスタミン薬；局所抗乾癬薬；局所抗ウイルス薬；局所収斂薬；局所排膿促進薬；局所脱色剤；局所皮膚軟化薬；局所角質溶解薬；局所ステロイド；抗感染症剤含有局所ステロイド；トキソイド；トリアジン抗痙攣薬；三環系抗うつ薬；三官能性モノクローナル抗体；腫瘍壊死因子（ＴＮＦ）阻害薬；チロシンキナーゼ阻害薬；超音波造影剤；上気道用配合剤；尿素抗痙攣薬；尿路抗感染症薬；尿路鎮痙薬；尿ｐＨ調整剤；子宮収縮薬；ワクチン；混合ワクチン；腟抗感染薬；膣用製剤；血管拡張薬；バソプレッシン拮抗薬；昇圧剤；ＶＥＧＦ／ＶＥＧＦＲ阻害薬；ウィルスワクチン；関節内補充薬；ビタミンミネラル混合物；ビタミン。
【００７２】
診断試験
１７−ヒドロキシプロゲステロン；ＡＣＥ（アンジオテンシンＩ変換酵素）；アセトアミノフェン；酸ホスファターゼ；ＡＣＴＨ；活性化凝固時間；活性化プロテインＣ耐性；副腎皮質刺激ホルモン（ＡＣＴＨ）；アラニンアミノトランスフェラーゼ（ＡＬＴ）；アルブミン；アルドラーゼ；アルドステロン；アルカリフォスファターゼ；アルカリフォスファターゼ（ＡＬＰ）；α１−抗トリプシン；α−フェトプロテイン；α−フェトプロティエン（ｆｅｔｏｐｒｏｔｉｅｎ）；アンモニアレベル；アミラーゼ；ＡＮＡ（抗核アントボディ（ａｎｔｉｎｕｃｌｅａｒ  ａｎｔｂｏｄｉｅｓ））；ＡＮＡ（抗核抗体）；アンジオテンシン変換酵素（ＡＣＥ）；アニオンギャップ；抗カルジオリピン抗体；抗カルジオリピンアンティブボディ（ａｎｔｉｖｂｏｄｉｅｓ）（ＡＣＡ）；抗セントロメア抗体；抗利尿ホルモン；抗−ＤＮＡ；抗デオキシリボヌクレアーゼＢ；抗グリアジン抗体；抗糸球体基底膜抗体；抗−ＨＢｃ（Ｂ型肝炎コア抗体；抗−ＨＢｓ（Ｂ型肝炎表面抗体；抗リン脂質抗体；抗−ＲＮＡポリメラーゼ；抗スミス（Ｓｍ）抗体；抗平滑筋抗体；抗ストレプトリジンＯ（ＡＳＯ）；抗トロンビンＩＩＩ；抗Ｘａ活性；抗Ｘａアッセイ；アポリポタンパク質；ヒ素；アスパラギン酸アミノトランスフェラーゼ（ＡＳＴ）；Ｂ１２；好塩基球；β２−ミクログロブリン；β−ヒドロキシブチレート；Ｂ−ＨＣＧ；ビリルビン；直接ビリルビン；間接ビリルビン；総ビリルビン；出血時間；血液ガス（動脈性）；血液尿素窒素（ＢＵＮ）；ＢＵＮ；ＢＵＮ（血液尿素窒素）；ＣＡ１２５；ＣＡ１５−３；ＣＡ１９−９；カルシトニン；カルシウム；カルシウム（イオン化）；一酸化炭素（ＣＯ）；癌胎児性抗原（ＣＥＡ）；ＣＢＣ；ＣＥＡ；ＣＥＡ（癌胎児性抗原）；セルロプラスミン；ＣＨ５０クロライド；コレステロール；コレステロール、ＨＤＬ；血餅溶解時間；血餅収縮時間；ＣＭＰ；ＣＯ２；寒冷凝集素；補体Ｃ３；銅；コルチコトロピン放出ホルモン（ＣＲＨ）刺激試験；コルチゾル；コートロシン刺激試験；Ｃ−ペプチド；ＣＰＫ（総）；ＣＰＫ−ＭＢ；Ｃ−反応性タンパク質；クレアチニン；クレアチニンキナーゼ（ＣＫ）；クリオグロブリン；ＤＡＴ（直接抗グロブリン試験）；Ｄ−ダイマー；デキタメタゾン抑制試験；ＤＨＥＡ−Ｓ；希釈ラッセルクサリ蛇毒；楕円赤血球；好酸球；赤血球沈降速度（ＥＳＲ）；エストラジオール；エストリオール；エタノール；エチレングリコール；ユーグロブリン溶解；第Ｖ因子ライデン；第ＶＩＩＩ因子阻害薬；第ＶＩＩＩ因子レベル；フェリチン；フィブリン分解物；フィブリノーゲン；葉酸塩；葉酸塩（血清；ナトリウム分画排泄率（ＦＥＮＡ））；ＦＳＨ（卵胞刺激因子）；ＦＴＡ−ＡＢＳ；γグルタミルトランスフェラーゼ（ＧＧＴ）；ガストリン；ＧＧＴＰ（γグルタミルトランスフェラーゼ）；グルコース；成長ホルモン；ハプトグロビン；ＨＢｅＡｇ（Ｂ型肝炎ｅ抗原）；ＨＢｓ−Ａｇ（Ｂ型肝炎表面抗原）；ヘリコバクターピロリ；ヘマトクリット；ヘマトクリット（ＨＣＴ）；ヘモグロビン；ヘモグロビンＡ１Ｃ；ヘモグロビン電気泳動；Ａ型肝炎抗体；Ｃ型肝炎抗体；ＩＡＴ（間接抗グロブリン試験）；免疫固定法（ＩＦＥ）；鉄；乳酸脱水素酵��（ＬＤＨ）；乳酸（乳酸塩）；ＬＤＨ；ＬＨ（黄体形成ホルモン）；リパーゼ；ループス抗凝固因子；リンパ球；マグネシウム；ＭＣＨ（平均赤血球ヘモグロビン量）；ＭＣＨＣ（平均赤血球ヘモグロビン濃度）；ＭＣＶ（平均赤血球容積）；マロン酸メチル；単球；ＭＰＶ（平均血小板容積）；ミオグロビン；好中球；上皮小体ホルモン（ＰＴＨ）；リン；血小板（ｐｌｔ）；カリウム；プレアルブミン；プロラクチン；前立腺特異抗原（ＰＳＡ）；タンパク質Ｃ；タンパク質Ｓ；ＰＳＡ（前立腺特異抗原）；ＰＴ（プロトロンビン時間）；ＰＴＴ（部分トロンボプラスチン時間）；ＲＤＷ（赤血球分布幅）；レニン；レンニン；網状赤血球数；網状赤血球；リウマチ因子（ＲＦ）；血沈速度；血清グルタミン酸ピルビン酸トランスアミナーゼ（ＳＧＰＴ）；血清タンパク電気泳動（ＳＰＥＰ）；ナトリウム；Ｔ３レジン摂取率（Ｔ３ＲＵ）；フリーＴ４；トロンビン時間；甲状腺刺激ホルモン（ＴＳＨ）；チロキシン（Ｔ４）；全鉄結合能（ＴＩＢＣ）；総タンパク；トランスフェリン；トランスフェリン飽和度；トリグリセリド（ＴＧ）；トロポニン；尿酸；ビタミンＢ１２；白血球（ＷＢＣ）；ウィダール試験。
【００７３】
流体が入った上述した医薬品容器は、任意の実施形態において想定されており、これらの中で、流体には次の特許文献に開示されている構造及び特徴を有するメッセンジャーＲＮＡ（ｍＲＮＡ）に基づく薬剤が含まれる。これらの特許文献は、請求項のいずれもが参照によって組み込まれないことを除き、本明細書に完全に参照により組み込まれる：米国特許出願公開第２０１５／００８６６１２号明細書；国際公開第２０１３／１４３６８３号パンフレット；国際公開第２０１４／０７２０６１号パンフレット；国際公開第２０１２／０７２０９６号パンフレット；米国特許出願公開第２０１４／００３０８０８号明細書；米国特許出願公開第２０１４／０１７８４３８号明細書；米国特許出願公開第２０１２／０１９５９１７号明細書；米国特許出願公開第２０１１／０３１１５８４号明細書；国際公開第２０１２／１５９６４３号パンフレット；国際公開第２０１４／０７５７８８号パンフレット；国際公開第２０１４／０７５６９７号パンフレット；国際公開第２０１４／０８２７２９号パンフレット。
【００７４】
本発明を、外面コーティングに関して以降の実施例によってより詳しく説明するが、本発明の範囲はこれらによっては限定されない。
【実施例】
【００７５】
実施例１
外面コーティングされたプラスチック容器は、次の方法によって製造できる：
・射出ブロー成形したＣＯＰ容器
・大気圧のコロナ型空気プラズマでの前処理
・真空蒸着、浸漬、フラッドコーティング、注型、噴射、噴霧、又は刷毛塗布による、好ましくは噴霧による、ＯＲＭＯＣＥＲラッカーでのＣＯＰ容器のコーティング
・ＵＶ若しくはＩＲ照射による、又は６０〜１５０℃、特には１３０℃での加熱処理による、ラッカーの完全硬化。
【００７６】
実施例２
以下は、耐擦り傷性かつ帯電防止性のコーティングを含む、外面コーティングされたプラスチック容器のための代表的な配合である。
【００７７】
【表３】
2018514595.tif 000006
【００７８】
ＣＯＰバイアルはラッカー処理する前に大気圧のコロナ型空気プラズマで前処理する。これによって表面上に無機−有機コーティングに結合可能なＳｉ−ＯＨ基が形成される。１つの実施形態においては、次のラッカー、すなわちＡＢＲＡＳＩＬ（登録商標）ＶＭ、ＶＡ、ＶＡＤ、ＦＡＰ、又はＧＡ２のうちの１つが噴霧法によって実施例２で塗布される。ラッカー層の完全な硬化は、オーブン中、約１３０℃／１時間で生じる。フィルム／コーティングは容器表面に良く接着する。これは、クロスカット試験（ＤＩＮ  ＩＳＯ  ２４０９）による層接着試験によって示される。
【００７９】
コーティングされたバイアルは、容器洗浄機で洗浄し、滅菌トンネルの中で乾燥させる。充填／キャッピング装置（例えばＢｏｓｃｈ／ＳｔｒｕｎｋのＶＳＲ  Ｆ０１）中で、容器にオキサリプラチン（［（１Ｒ，２Ｒ）−シクロヘキサン−１，２−ジアミン］（エタンジオアト−Ｏ，Ｏ’）白金（ＩＩ））溶液を充填し、その後少なくとも１２１℃／２ｂａｒ／１５分でオートクレーブ処理する。充填装置を通過した後、容器は目視できる擦り傷を有さない。
【００８０】
【表４】
2018514595.tif 000007
【００８１】
試験：
接着−クロスカットテープ試験（ＤＩＮ  ＩＳＯ  ２４０９）
擦り傷：Ｓｃｏｔｃｈ−Ｂｒｉｔｅ（登録商標）摩耗−Ｓｃｏｔｃｈ−Ｂｒｉｔｅ（登録商標）摩耗試験は、標準的な摩耗研磨パッドでの接触研磨に対するコーティングの耐性を測定する。研磨パッドの上の垂直荷重は１０ポンド（４．５４ｋｇ）に設定し、研磨パッドは１０，０００回のストローク毎に交換する。プラスチックがむき出しになるまでコーティングを擦り落とすのに必要とされるサイクル数を決定してコーティング系の耐摩耗性を評価する。
帯電防止性：静電気センサーを使用した測定（ＫＶ／インチ）は、３Ｍ静電気センサー７１８の表面上に帯電した静電荷に関連する電圧を測定する。
【００８２】
ポリマー中の帯電防止剤の量は、典型的には０．１重量％〜３重量％で変動する。これらの添加剤は、これらを組み込むプラスチック物品の静電荷の低減において、様々な量で有効である。しかし、帯電防止剤によっては、他よりもポリマーマトリックス中で有効なものもあれば、表面に白く析出し易い傾向があるものもある。表面に白く析出する添加剤は、そのような添加剤を含むポリマーから作られた容器の表面及び内容物を、特には液体の内容物を汚染する場合がある。
【００８３】
更に、本発明の態様の容器は、
（ｉ）式ＲmＳｉＸ4-mのシラン（式中、
Ｒ＝架橋可能な有機ラジカル、
Ｘ＝加水分解可能かつ縮合可能な基、
ｍ＝１又は２又は３（１が好ましい））
と金属化合物とから合成される加水分解縮合物、
（ｉｉ）シランのラジカルＲと架橋可能なプレポリマー、
（ｉｉｉ）１種以上の（特には１種又は２種）任意選択的な非架橋性の有機官能基を有するシラン、及び
（ｉｖ）任意選択的な低揮発性酸化物、
を含む、又はこれらから本質的になる、又はこれらからなる、ハイブリッド有機−無機ポリマーコーティング（例えば（ＯＲＭＯＣＥＲ（登録商標））を備えていてもよい。
【００８４】
本発明の容器のためには、シランの式中のＲは、アルキル、アルケニル、アルキニル、アリール、アリールアルキル、アルキルアリール、アリールアルケニル、アルケニルアリール、アリールアルキニル、及びアルキニルアリールによって形成される群からのラジカルであってもよく、これらのラジカルにはＯ原子及び／又はＳ原子及び／又はＮ原子が、及び／又はＮＨ基が１箇所以上挟み込まれていることが可能であり、あるいは末端ＯＨ、ＳＨ、又はＮＨ2基を有することが可能である。本明細書において、「挟み込まれた」ＲやＲ”などのラジカルは、Ｒa−Ｙ−Ｒb−（式中、Ｒa−Ｒb−はシランの式のＲの定義を満たし、Ｙはここでは−Ｏ−、−Ｓ−、−Ｎ＜、及び／又は−ＮＨ−である連結基である）の構造を有する。
【００８５】
本発明の容器のためには、シランの式中のラジカルＲは、互いに独立に、無置換のラジカルであるか、ハロゲン原子、無置換アミノ、アミド、アルデヒド、ケト、アルキルカルボニル、カルボキシ、メルカプト、シアノ、イソシアノ、シアナト、イソシアナト、ヒドロキシ、アルコキシ、アルコキシカルボニル、スルホン酸、リン酸、アクリル、アクリルオキシ、メタクリル、メタクリルオキシ、グリシジル、グリシジルオキシ、エポキシ、及びビニル基、並びにそのような基の置換された形態によって形成される群からの１つ以上の置換基によって置換されたラジカルであってもよい。
【００８６】
本発明の容器のためには、シランの式中のラジカルＸは、互いに独立に、アルコキシ基、アリールオキシ基、アシルオキシ基、アルキル−カルボニル基、アルコキシカルボニル基、ヒドロキシ基、ハロゲン、水素、又は置換若しくは無置換のアミノ基であってもよい。
【００８７】
本発明の容器のためには、反応性基としての基Ｒ（Ｒは上で詳述した通りの意味を有する）を有するプレポリマーが供され得る。
【００８８】
そのため、本発明の容器のためには、反応性基としての基Ｒ（プレポリマー中とシラン中のＲは同じ意味を有する）を有するプレポリマーが供され得る。
【００８９】
更に、本発明の容器のためには、シラン及びプレポリマーは次の通りの組み合わせであってもよい：
（ｉ）エポキシ基を有するシランとプレポリマーとしてのエポキシ樹脂及び／又は、
（ｉｉ）ビニルラジカルを有するシランと架橋可能な二重結合を有するプレポリマー及び／又は、
（ｉｉｉ）重合可能な二重結合を有するシランと架橋可能な二重結合を有するプレポリマー及び／又は、
（ｉｖ）メルカプト基含有シランと架橋可能な二重結合を有するプレポリマー及び／又は、
（ｖ）イソシアネート基含有シランとプレポリマーとしてのポリオール及び／又は、
（ｖｉ）ヒドロキシル基含有シランとプレポリマーとしてのイソシアネート及び／又は、
（ｖｉｉ）アミノ基含有シランとプレポリマーとしてのエポキシ樹脂。
【００９０】
したがって、本発明の容器は、アクリル基含有シランの加水分解縮合物とプレポリマーアクリレートとを備えていてもよい。
【００９１】
更に、本発明の容器のためには、式Ｒ’mＳｉＸ4-m（式中、
Ｒ’＝非架橋性の有機ラジカル、
Ｘ＝加水分解可能かつ縮合可能な基、
ｍ＝１又は２又は３）
の、任意選択的な非架橋性の有機官能基を有するシランが供され得る。
【００９２】
本発明の容器のためには、シランの式中のＲ’は、アルキル、シクロアルキル、アリール、アリールアルキル、及びアルキルアリールによって形成される群からのラジカルであってもよく、これらのラジカルにはＯ原子及び／又はＳ原子及び／又はＮ原子が、及び／又はＮＨ基が１箇所以上挟み込まれていることが可能であり、あるいは末端ＯＨ、ＳＨ、又はＮＨ２基を有することが可能である。
【００９３】
更に、本発明の容器のためには、シランの式中のＲ’は、互いに独立に、無置換のラジカルであるか、ハロゲン原子、無置換アミド、アルデヒド、ケト、アルキルカルボニル、カルボキシ、シアノ、アルコキシ、及びアルコキシカルボニル基、並びにそのような基の置換された形態によって形成される群からの１つ以上の置換基によって置換されたラジカルであってもよい。
【００９４】
更に、本発明の容器のためには、シランの式Ｒ’ｍＳｉＸ４−ｍ中のラジカルＸは、互いに独立に、アルコキシ基、アリールオキシ基、アルキルカルボニル基、アルコキシカルボニル基、ヒドロキシ基、ハロゲン、水素、又は置換若しくは無置換のアミノ基であってもよい。
【００９５】
更に、本発明の容器のためには、Ｉａ、ＩＩａ、ＩＩＩａ、ＩＶａ、及び／若しくはＶａの主族元素、又はＩＩｂ、ＩＩＩｂ、Ｖｂ、ＶＩｂ、ＶＩＩｂ、及び／若しくはＶＩＩＩｂの亜族元素（アルミニウムを除く）の元素の化合物の低揮発性酸化物が供され得る。
【００９６】
そのため、本発明の容器のためには、Ｂ２Ｏ３、Ｐ２Ｏ５、及び／又はＳｎＯ２が供され得る。
【００９７】
そのため、本発明の容器は、ＡＢＲＡＳＩＬ（登録商標）ラッカー（ＡＢＲＡＳＩＬ（登録商標）ＶＭ、ＶＡ  ＦＡＰ、又はＧＡ２などのＴｏｐｃｏａｔｉｎｇからの市販のラッカー）のような無機−有機ハイブリッドポリマーコーティングと、エトキシル化アルキルアミン、エトキシル化アルキルアミド、ステアリン酸グリセロール、脂肪酸エステル、ポリオールのエステル若しくはエーテル、アルキル硫酸ナトリウム、四級アンモニウム化合物、及びアルキルリン酸エステルのような帯電防止剤とを備えていてもよい。
【００９８】
更に、本発明の容器は円筒状又は角柱状又は四角形の形状を有していてもよい。
【００９９】
更に、本発明の容器は、射出成形若しくはブロー射出成形された容器、捻じ込み蓋の容器、又はアンプルであってもよい。
【０１００】
更に、本発明の容器は、１〜１０００ｍｌの容積を有する注入容器又は捻じ込み蓋の容器であってもよい。
【０１０１】
更に、本発明の容器は、２〜１００ｍｌの容積を有する注入容器であってもよい。
【０１０２】
更に、本発明の容器は、１〜２０ｍｌの容積を有するアンプルであってもよい。
【０１０３】
更に、本発明の容器は、１〜１００μｍ、特には２〜３０μｍ、好ましくは８〜２０μｍの厚さを有する耐擦り傷性（及び任意選択的には帯電防止性）外面コーティングを備えていてもよい。
【０１０４】
本発明の容器は、医薬品で満たされて蓋がされていてもよい。
【０１０５】
用語アルキルは、例えばメチル、エチル、プロピル、イソプロピル、ｎ−ブチル、イソブチル、ｔｅｒｔ−ブチル、ｎ−ヘキシル、２，２−ジメチルブチル、又はｎ−オクチル基などの、特には１〜２０個の炭素原子、好ましくは１〜１２個の炭素原子、より具体的には１〜６個の炭素原子を有する、飽和の、直鎖又は分岐の炭化水素基のことをいう。
【０１０６】
用語アルケニル及びアルキニルは、例えばエテニル、アリル、アセチレニル、プロパギル、イソプレニル、又はヘキサ−２−エニル基などの、特には２〜２０個の炭素原子、好ましくは２〜１２個の炭素原子、より好ましくは２〜６個の炭素原子を有する、少なくとも部分的に不飽和の、直鎖又は分岐の炭化水素基のことをいう。好ましくは、アルケニル基は１つ又は２つ（好ましくは１つ）の二重結合を有し、アルキニル基は１つ又は２つ（好ましくは１つ）の三重結合を有する。
【０１０７】
用語シクロアルキルは、１個以上の環（好ましくは１個又は２個）を有し、特には３〜１４個の環炭素原子、好ましくは３〜１０個の環炭素原子を含む環状の基のことをいう。例は、シクロプロピル、シクロブチル、シクロペンチル、及びシクロヘキシル基である。
【０１０８】
用語アリール又はＡｒは、特には６〜１４個の環炭素原子、好ましくは６〜１０個（特には６個）の環炭素原子を有する１つ以上の環を有する芳香族基のことをいう。例は、フェニル、ナフチル、又はビフェニル基である。
【０１０９】
用語アリールアルキル、アルキルアリール、アリールアルケニル、アルケニルアリール、アリールアルキニル、及びアルキニルアリールは、上の定義に基づいた、アリールと、アルキル又はアルケニル又はアルキニル基と、の両方を含む基のことをいう。具体的な例は、トルエン、キシレン、メシチレン、スチレン、ベンジル、及びクメンである。そのような基は、好ましくは６〜１０個の環炭素原子を有する１個又は２個の芳香環と、１個又は２個から６個の炭素原子を有する１個又は２個のアルキル、アルケニル、及び／又はアルキニル基とを有する。
【０１１０】
非架橋性の有機官能基を有するシランの例は、ビス−（ジメチルアミノ）−メチルフェニルシラン、ビス−（モノ−ｎ−ブチルアミノ）ジメチルシラン、２−クロロエチルトリクロロ−シラン、２−クロロエチルメチルジクロロシラン、ジ−ｎ−ブチルジクロロシラン、ジエチルジエトキシシラン、エチルトリメトキシシラン、８−ブロモオクチルトリクロロシラン、３−ブロモプロピルトリクロロシラン、ｔｅｒｔ−ブチルトリクロロシラン、１−クロロエチルトリクロロシラン、クロロメチルトリクロロ−シラン、クロロフェニルトリクロロシラン、シクロヘキシルトリクロロシラン、ジメチルジクロロシラン、ジフェニルジクロロシラン、エチルジクロロシランである。フェニルトリメトキシシラン、アミノプロピルトリエトキシシラン、及びプロピルトリメトキシシランが特には優先される。
【０１１１】
架橋可能な有機官能基を有するシランの例は、ビニルトリメトキシシラン、アミノ−プロピルトリエトキシシラン、イソシアナトプロピルトリエトキシシラン、メルカプトプロピルトリメトキシ−シラン、ビニルトリエトキシシラン、ビニルエチルジクロロシラン、ビニルメチルジアセトキシシラン、ビニルメチルジクロロシラン、ビニルメチルジエトキシシラン、ビニルトリアセトキシシラン、ビニル−トリクロロシラン、フェニルビニルジエトキシシラン、フェニルアリルジクロロシラン、３−イソシアノト−ポリルトリエトキシシラン（ｉｓｏｃｙａｎｏｔｏ−ｐｏｒｙｌｔｒｉｅｔｈｏｘｙｓｉｌａｎｅｓ）、３−イソシアナトプロピルトリエトキシシラン、メタクリルオキシプロペニルトリ−メトキシルシラン、３−メタクリルオキシプロピルトリメトキシシランである。メタクリルオキシプロピルトリメトキシシラン及び３−グリシジルオキシプロピルトリメトキシシランが特に優先される。
【０１１２】
金属化合物の例は、ＴｉＣｌ4、ＺｒＣｌ4、Ｔｉ（ＯＣ2Ｈ5）4、Ｔｉ（ＯＣ3Ｈ7）4、Ｔｉ（Ｏ−ｉｓｏ−Ｃ3Ｈ7）4、Ｔｉ（ＯＣ4Ｈ9）4、Ｚｒ（Ｏ−ｉｓｏ−Ｃ3Ｈ7）、Ｚｒ（ＯＣ4Ｈ9）4、Ｔｉ（アセチルアセトナト）２（Ｏ−ｉｓｏ−Ｃ3Ｈ7）2、Ｚｒ（アセチルアセトナト）4、Ｔｉ（２−エチルヘキシルオキシ）4、並びに、好ましくは酸素及び／若しくは窒素によって配位しているキレート配位子を有する他のチタン若しくはジルコニウム錯体；Ａｌ（ＯＣＨ3）3、Ａｌ（ＯＣ2Ｈ5）3、Ａｌ（Ｏ−ｎ−Ｃ3Ｈ7）3、Ａｌ（Ｏ−ｉｓｏ−Ｃ3Ｈ7）3、Ａｌ（ＯＣ4Ｈ9）3、Ａｌ（Ｏ−ｉｓｏ−Ｃ4Ｈ9）3、Ａｌ（Ｏ−ｓｅｃ−Ｃ4Ｈ9）3、Ａ１Ｃ１3、Ａ１Ｃ１（ＯＨ）2、ギ酸アルミニウム、酢酸アルミニウム、及びシュウ酸アルミニウム、並びに、例えばアセチルアセトナートなどの対応する（部分的に）キレート化した化合物である。例えばＡｌ（Ｏ−ｓｅｃ−Ｃ4Ｈ9）3及びＡｌ（Ｏ−ｉｓｏ−Ｃ3Ｈ7）3などの室温で液体の化合物が好ましい。
【０１１３】
ＯＲＭＯＣＥＲ（登録商標）（有機物変性セラミック）ポリマーは、無機−有機ハイブリッドポリマーであると理解される。これらは、金属、ガラス、石等のためのコーティング材料として公知のシリコーンポリマーである。無機−有機ハイブリッドポリマーの合成及び組成は、例えば独国特許発明第４３０３５７０Ｃ号明細書及び欧州特許第０６１０８３１Ｂ１号明細書中に記載されており、これらは共に参照によりその全体が本明細書に組み込まれる。
【０１１４】
ハイブリッドポリマーの合成のためには、官能基を有するシランＲmＳｉＸ4-m（式中、Ｘは加水分解可能かつ縮合可能な基であり、Ｒは架橋可能な有機ラジカルである）が使用される。基Ｘは、互いに独立に、アルコキシ基、アリールオキシ基、アシルオキシ基、アルキルカルボニル基、アルコキシカルボニル基、ハロゲン、水素、又は置換若しくは無置換のアミノ基であってもよい。架橋可能なラジカルＲは、アルキル、アルケニル、アルキニル、アリール、アリールアルキル、アルキルアリール、アリールアルケニル、アルケニルアリール、アリールアルキニル、アルキニルアリールであってもよく、これらのラジカルにはＯ、Ｓ、又はＮ原子が、又はＮＨ基が挟み込まれていることが可能であり、あるいはこれらのラジカルが末端ＯＨ、ＳＨ、又はＮＨ２基を有することが可能であり、またハロゲン、置換若しくは無置換のアミノ、アミド、アルデヒド、ケト、アルキルカルボニル、カルボキシ、メルカプト、シアノ、イソシアノ、シアナト、イソシアナト、ヒドロキシ、アルコキシ、アルコキシカルボニル、スルホン酸、リン酸、アクリル、アクリルオキシ、メタクリル、メタクリルオキシ、エポキシ、グリシジル、グリシジルオキシ、又はビニル基の群からの１つ以上の置換基を有することが可能である。数字ｍは１、２、又は３の値を有していてもよい。化合物ＲｍＳｉＸ４−ｍは、アルミニウム、ジルコニウム、又はチタンのハロゲン、アルキル、アルコキシ、アシルオキシ、又はヒドロキシ化合物などの金属化合物と併用される。金属化合物はキレート化合物の形態でオリゴマー状であってもよい。これは、有機酸若しくは無機酸と錯体化しているアルミニウム塩であっても、錯体化されていないアルミニウム塩であってもよい。ＲｍＳｉＸ４−ｍと金属化合物との加水分解縮合物を含むことに加えて、コーティング材料はプレポリマーも含む。プレポリマーは、架橋可能な基Ｒと反応してその結果架橋の役割を果たす。好ましくは、プレポリマーは化合物ＲｍＳｉＸ４−ｍのラジカルＲと同じ反応性基を有していてもよい。例えば、アクリル基含有シランの場合、アクリレートがプレポリマーとして使用される。更に、コーティング材料は、例えばアルキル若しくはアリール基などを有する非架橋性の有機官能基を有するシラン、及び／又は低沸点酸化物を含む。
【０１１５】
無機−有機ハイブリッドポリマーの合成及び使用は、出発化合物を加水分解して例えばアルコールなどの分離加水分解生成物を含むコロイド溶液を形成することによって行われ、これはラッカーと呼ばれる。適切な場合には、ラッカー溶剤を添加することもできる。そのようなラッカーは、コーティングすべき材料に塗布することができる。Ｓｉ−Ｏ−Ｓｉネットワークが形成されると、有機分子基の架橋が生じる。これは重合又は重付加反応によって生じ得る。
【０１１６】
無機−有機耐擦り傷耐性コーティング材料としては、ＯＲＭＯＣＥＲ（登録商標）ラッカー、ＡＢＲＡＳＩＬ（登録商標）ＧＡ２−３０若しくはＧＡ２−３５、又はＡＢＲＡＳＩＬ（登録商標）ＶＭ−２６−ＩＰＡ２を使用することができる。ＡＢＲＡＳＩＬ（登録商標）ＧＡ２−３０は、高い耐擦り傷性、高い耐湿性及び高い耐薬品性、高光沢表面、並びに高い耐熱性を有する加熱硬化型ハイブリッドラッカーである。ＡＢＲＡＳＩＬ（登録商標）ＧＡ２−３０の改良型であるＡＢＲＡＳＩＬ（登録商標）ＧＡ２−３５も同様の加熱硬化型ハイブリッドラッカーである。ＡＢＲＡＳＩＬ（登録商標）ＧＡ２−３５は、加水分解され有機物で変性されたケイ酸エステルと、加水分解されたアルミニウムアルコキシドと、錯体形成剤とを有する製剤である。エポキシ樹脂、並びに溶媒としての２−ブタノール及びメトキシプロパノールも任意選択的に存在していてもよい。ＡＢＲＡＳＩＬ（登録商標）ＶＭ−２６−ＩＰＡ２は、高い耐擦り傷性を有するＵＶ硬化型ハイブリッドラッカーである。好ましくは、ＯＲＭＯＣＥＲ（登録商標）ラッカー、ＡＢＲＡＳＩＬ（登録商標）ＧＡ２−３０、及びＡＢＲＡＳＩＬ（登録商標）ＧＡ２−３５が使用される。
【０１１７】
本発明のプラスチック容器は、注入容器（＝バイアル）、捻じ込み蓋の容器、又はアンプルであってもよい。
【０１１８】
プラスチック容器は、円筒形状を有していても長方形の底部を有していてもよい。注入容器又は捻じ込み蓋の容器は、１〜１０００ｍｌの容積を含むことができる。注入容器の容積は、好ましくは２〜１００ｍｌである。アンプルは、１〜２０ｍｌの容積を含むことができる。
【０１１９】
プラスチックの注入容器は、ゴム栓で閉じることができる。ゴム栓に適した材料は、クロロブチル又はブロモブチルのゴム栓である。栓は、例えばアルミニウムなどの軽量金属のクリンプキャップを備えていてもよい。
【０１２０】
捻じ込み蓋の容器は、例えばアルミニウム製の捻じ込み蓋で閉じることができる。
【０１２１】
本発明の任意選択的な実施形態によるＣＯＰ容器は、次のプロセスによって製造することができる：ＣＯＰ容器の射出ブロー成形；大気圧のコロナ型空気プラズマでの前処理；真空蒸着、浸漬、フラッドコーティング、注型、噴射、噴霧、又は刷毛塗布による、好ましくは噴霧による、ＯＲＭＯＣＥＲ（登録商標）ラッカーでのＣＯＰ容器のコーティング；ＵＶ若しくはＩＲ照射による、又は６０〜１５０℃、特には１３０℃での加熱処理によるラッカーの完全硬化。
【０１２２】
ＯＲＭＯＣＥＲ（登録商標）ラッカーの層の厚さは、１〜１００μｍ、特には２〜３０μｍとすることができる。８〜２０μｍの層厚さが好ましい。
【０１２３】
任意選択的には、ＣＯＰ基材に結合層及び／バリア層を設けることができ、その上にＯＲＭＯＣＥＲ（登録商標）／帯電防止コーティングが設けられる。
【０１２４】
ＯＲＭＯＣＥＲ（登録商標）でコーティングされたＣＯＰ容器には、医薬品が充填される。
【０１２５】
ＯＲＭＯＣＥＲ（登録商標）でコーティングされたＣＯＰ容器に対しては、オートクレーブ処理、照射滅菌、又はエチレンオキシドによる滅菌を行うことができる。
【０１２６】
以降は本発明のある態様による任意選択的な容器の充填方法である。滅菌されたＣＯＰ容器は充填装置へ送り込むことができ、容器は横倒しになるのを防止するために支持リングによって互いに対してきつく押し付けられる。容器はターンテーブルによってコンベアベルトの上に置かれるが、容器は支持リングによって互いにきつく押し付けられたままである。ターンテーブル及び支持リングの作用は容器が互いに擦れる原因となり、これは未コーティングのプラスチック容器の場合にはこれらの外表面に擦り傷を生じさせるであろう。容器はコンベアベルトによって充填針まで運ばれ、ここでこれらに対象の液体が充填される。その後、容器はゴム栓及びクリンプキャップで閉じられる。
【０１２７】
本発明の充填されたプラスチック容器は、オートクレーブ処理することができる。オートクレーブ処理は、少なくとも１２１℃の温度及び少なくとも２ｂａｒの圧力で少なくとも１５分の間行うことができる。あるいは、オートクレーブの中で１１０℃でより長い時間オートクレーブ処理することも可能である。
【０１２８】
本発明を、以降の実施例を参照しつつより詳しく説明するが、本発明はこれらに限定されるとはみなされないと理解すべきである。
【０１２９】
実施例３
耐擦り傷性／帯電防止性層でのコーティング
複数のバイアルを、手袋をはめた手でチェーンコンベア上のバイアルスピンドル又はホルダーの上に載せた。バイアルを最初にイオン化した空気に曝露して粒子を除去した。その後２つのノズルからの大気圧の空気プラズマを使用して表面を更に洗浄及び活性化した。各ノズルがバイアル表面から１ｃｍであるプラズマ区域の中で各バイアルを回転させた。バイアルが通過するに伴い、１つのノズルが上面を処理し、もう一方が側面を処理した。処理条件は次の通りである：プラズマ出力＝２０Ｈｚ、プラズマサイクル＝１００％（すなわち、１つの容器の処理全長のための、１つの連続的なプラズマインパルス）、プラズマ電圧＝２６０Ｖ、及びプラズマアンペア＝３．４Ａ。
【０１３０】
コーティングすべきバイアルを回転させて、ＡＤＤＩＤ液体帯電防止剤（Ｅｖｏｎｉｋ  Ｉｎｄｕｓｔｒｉｅｓ  ＡＧから販売されている固体塩と四級窒素化合物との配合物、ＴＥＧＯ製品）とブレンドされたＡＢＲＡＳＩＬ無機−有機ハイブリッド耐擦り傷性ポリマーを、スライド上に取り付けられた超音波センサーで作動する噴霧器を使用して噴霧した。噴霧の最中、バイアルが回転して通過するに伴って噴霧器はスライドの上で上下に移動した。次の設定値を使用した：ホーンエア＝３４ｐｓｉすなわちポンド毎平方インチ（２３０キロパスカル、ＫＰａ）、噴霧空気＝３４ｐｓｉ（２３０ＫＰａ）、ニードルストローク＝２５ｐｓｉ（１７０ＫＰａ）、及びポンプ圧＝３０ｐｓｉ（２００ＫＰａ）。
【０１３１】
上の噴霧プロセスが完了した後、バイアルを上に向けながらセラミックプレート赤外線ヒーターを使用して加熱した。セラミックプレート赤外線ヒーターを約３２０℃まで加熱すると、バイアルの底面で１３０℃、バイアルの肩部で１２６℃の局部温度になった。
【０１３２】
上の赤外線加熱サイクルが完了した後、手袋をはめた手でバイアルをバイアルスピンドル又はホルダーから引き抜き、金属シートに載せてからオーブンの中に置いてコーティングを硬化させた。使用したオーブン温度は１３０℃であり、使用した硬化時間は６０分であった。
【０１３３】
実施例４
耐擦り傷性の効果の測定
この実施例の目的は、摩耗の深刻な原因によるバイアルの擦り傷に対しての保護のための、実施例３による耐擦り傷性かつ帯電防止性のコーティングの効果を示すことであった。４つのコーティングされた試験バイアル（Ａ〜Ｄ）と、４つの未コーティングの対照バイアル（Ｅ〜Ｈ）を、擦り傷が付く前後の透過率について試験した。未コーティングのバイアルをＵＶ／ＶＩＳ分光光度計（紫外光と可視光の両方を含むスペクトルを有する分光光度計）（Ｐｅｒｋｉｎ  ＥｌｍｅｒモデルＬａｍｂｄａ  ４５）の中に置いた。各バイアルの％光透過率（％Ｔ）を、１ｎｍの間隔で４００ｎｍ〜５００ｎｍの可視光波長の間で測定した。擦り傷が付く前の各バイアルＡ〜Ｈのスペクトル全体の平均透過率と標準偏差が表３に示されている。
【０１３４】
その後、それぞれのバイアルを、Ｓｃｏｔｃｈ−Ｂｒｉｔｅ（登録商標）Ｇｅｎｅｒａｌ  Ｐｕｒｐｏｓｅ  Ｈａｎｄ  Ｐａｄ  ７４４７（微細な酸化アルミニウム研磨剤を有する基材、３Ｍ  Ｃｏｍｐａｎｙ，Ｓｔ．Ｐａｕｌ，Ｍｉｎｎｅｓｏｔａ，ＵＳＡから販売）の中に包み、これを手で３回転させてバイアルに擦り傷を付けた。その後、バイアルをＵＶ／ＶＩＳの中に戻し、擦り傷が付いたバイアルＡ〜Ｈについて％光透過率（％Ｔ）を再び測定した。これも同様に表３に報告されている。擦り傷を付けた後の結果を、それぞれのバイアルの擦り傷を付ける前の結果から差し引いて、擦り傷ありのバイアルと擦り傷なしのバイアルとの間の光透過率の差（ΔＴ）を決定した。比較データは表３に示されている。擦り傷を付ける前対後の、コーティングされたバイアルＡ〜Ｄについての平均ΔＴは２．４％であった。これは、コーティングされたバイアルに擦り傷を付けてもこれらの透過率に少ししか悪影響がないことを示している。擦り傷を付ける前対後の、コーティングされていないバイアルＥ〜Ｈについての平均ΔＴは２５．４％であった。これは、コーティングされていないバイアルＥ〜Ｈに擦り傷が付くと透過率が約１０倍も多く変化することを示している。このデータは、擦り傷を低減するためのコーティングの有用性を示している。
【０１３５】
【表５】
2018514595.tif 000008
【０１３６】
実施例５
帯電防止効果の測定
この実施例の目的は、コーティングされた容器上の絶対静電荷密度を低減するための、及びコーティングされた容器上の静電荷の放電率を増加させるための、実施例３による耐擦り傷性かつ帯電防止性のコーティングの効果を示すことであった。
【０１３７】
実施例３に記載の通りにコーティングした帯電させていないコーティングされたバイアルを、いずれかの測定を行う前に校正され接地されたＴｒｅｋ  Ｍｏｄｅｌ  ５１１静電気センサーの前に置いた。ｋＶ／単位長さでの静電荷密度は、時間を追跡するための校正したストップウオッチを使用して、バイアルをセンサーの前に置いた後０秒及び１０秒の時点で記録した。帯電させていないコーティングされたバイアル上の静電荷は０秒後に０．２３２５ｋＶ／インチ（０．０９１５ｋＶ／ｃｍ）（棒６２、図１１及び表４）であり、１０秒後に０．２２２５ｋＶ／インチ（０．０８７６ｋＶ／ｃｍ）（棒６４、図１１及び表４）であった。０秒の時点対１０秒の時点の結果を比較すると、放電率は１０秒で４％であった。
【０１３８】
次に、絹布でバイアルを擦ることによってバイアル上に静電荷を付与した。測定を上の通りに行い、結果を記録した。帯電させた、コーティングされたバイアル上の静電荷は０秒後に０．６４００ｋＶ／インチ（０．２５２ｋＶ／ｃｍ）（棒６６、図１１及び表４）であり、１０秒後に０．５５００ｋＶ／インチ（０．２１７ｋＶ／ｃｍ）（棒６４、図１１及び表４）であった。この例での放電率は１０秒で１４％であった。
【０１３９】
次に、コーティングを有さない対照のバイアルを使用した以外は同じ試験を再び行った。帯電させていない、未コーティングのバイアル上の静電荷は０秒後に０．５１３ｋＶ／インチ（０．２０２ｋＶ／ｃｍ）（棒７０、図１１及び表４）であり、１０秒後に０．５０３ｋＶ／インチ（０．１９８ｋＶ／ｃｍ）（棒７２、図１１及び表４）であった。０秒の時点対１０秒の時点の結果を比較すると、放電率は１０秒で２％であった。帯電させた、未コーティングのバイアル上の静電荷は０秒後に２．７６ｋＶ／インチ（１．０９ｋＶ／ｃｍ）（棒７４、図１１及び表４）であり、１０秒後に２．７５ｋＶ／インチ（１．０８ｋＶ／ｃｍ）（棒７６、図１１及び表４）であった。この例での放電率は１０秒で０％であった。
【０１４０】
このデータは、本発明の擦り傷及び帯電防止性のコーティングが、帯電あり又はなしで絶対静電荷を低下させ、静電荷が拡散する速度を増加させたことを示した。
【０１４１】
【表６】
2018514595.tif 000009
【０１４２】
実施例６
帯電防止効果の測定
この実施例は、実施例３に記載の帯電防止性かつ耐擦り傷性のコーティングあり及びなしでの、長時間にわたる５ｍＬのバイアルの平均静電負荷（ｋＶ）を示した。コーティングあり及びなしのバイアルを上述の通りに帯電させ、その後平均静電負荷を０〜５分の毎分測定し、その後１０分間隔で１０〜６０分測定した。結果は図１２に示されている。未コーティングのＣＯＰバイアル（プロット７８）はより高い初期平均静電負荷を有しており、これは約４分で約１．３ｋＶまで低下し、その後比較的一定のままであり、６０分後に１ｋＶに保たれていた。コーティングされたＣＯＰバイアル（プロット８０）は、６０分の試験を通して約０ｋＶの平均静電負荷を有しており、そのため静電負荷は実質的に完全に又は完全に放電されていた。
【０１４３】
実施例７
実施例３の本発明のコーティングを設けることの実際の影響が図１３〜図１４に示されている。図１３に示されている、実施例３の帯電防止性かつ耐擦り傷性のコーティングを有するＣＯＰバイアルに、実施例２に記載の通りに静電荷を帯電させ、たばこの灰（大気中の粒子状汚染物質に相当）が入った蓋のされていないペトリ皿の近くに上部フランジによって保持した。灰はバイアルに引き付けられなかった。コーティングされていないことを除いては同じタイプのバイアルで試験を再び行うと、図１４に示されているように、たばこの灰はバイアルの表面全体に引き付けられ、バイアルの表面全体に分布した。
【０１４４】
実施例８
実施例３の帯電防止性かつ耐擦り傷性の層でコーティングされたバイアルを、１００℃で２４時間ＭｉｌｌｉＱ水の中で沸騰させた。沸騰プロセスの後、沸騰によって生じる剥離又は他の欠陥の何等かの兆候についてバイアルを目視で検査した。バイアルのコーティングされた表面上に、コーティングの剥離及び他の目立った欠陥は観察されなかった。しかしながら、バイアルのコーティングされていない内側は、沸騰後に明らかな粒子による汚染を有し、沸騰によって欠陥が生じたことが示された。
【０１４５】
本発明をこれらの具体的な実施例を参照しつつ詳細に説明してきたが、本発明の趣旨及び範囲から逸脱することなしに様々な変更及び修正を行えることは当業者に明白であろう。
【図１】
2018514595.tif 000010
【図２】
2018514595.tif 000011
【図３】
2018514595.tif 000012
【図４】
2018514595.tif 000013
【図５】
2018514595.tif 000014
【図６】
2018514595.tif 000015
【図７】
2018514595.tif 000016
【図８】
2018514595.tif 000017
【図９】
2018514595.tif 000018
【図１０】
2018514595.tif 000019
【図１１】
2018514595.tif 000020
【図１２】
2018514595.tif 000021
【図１３】
2018514595.tif 000022
【図１４】
2018514595.tif 000023
【国際調査報告】
2018514595.tif 000024
2018514595.tif 000025
2018514595.tif 000026